(57)【特許請求の範囲】
【請求項１】
表面に吸着材が設けられ、第１空気からの水分の吸着と第２空気への水分の放出とが可能な調湿通路(85)と、該調湿通路(85)の水分の吸着時に調湿通路(85)を冷却し、水分の放出時に調湿通路(85)を加熱する空気が流れる補助通路(86)とを有する吸着素子(81,82)を備え、該吸着素子(81,82)で空気を調湿して室内へ供給する調湿装置であって、
上記吸着素子(81,82)の補助通路(86)は、上記調湿通路(85)から水分を放出することにより該吸着素子(81,82)を再生するときに、調湿通路(85)を通過する前の第２空気の全部が加熱用流体として流入するように構成されていることを特徴とする調湿装置。
【請求項２】
表面に吸着材が設けられ、第１空気からの水分の吸着と第２空気への水分の放出とが可能な調湿通路(85)と、該調湿通路(85)の水分の吸着時に調湿通路(85)を冷却し、水分の放出時に調湿通路(85)を加熱する空気が流れる補助通路(86)とを有する吸着素子(81,82)を備え、該吸着素子(81,82)で空気を調湿して室内へ供給する調湿装置であって、
上記吸着素子(81,82)の補助通路(86)は、上記調湿通路(85)から水分を放出することにより該吸着素子(81,82)を再生するときに、調湿通路(85)を通過する前の第２空気の一部が加熱用流体として流入し、残りの第２空気と合流して調湿通路(85)を通過するように構成されていることを特徴とする調湿装置。
【請求項３】
請求項１または２に記載の調湿装置において、
調湿通路(85)及び補助通路(86)へ流入する前の第２空気を加熱する再生用加熱器(72)を備えていることを特徴とする調湿装置。
【請求項４】
請求項３に記載の調湿装置において、
冷媒が循環して冷凍サイクルを行う冷媒回路(70)を備え、
再生用加熱器(72)が該冷媒回路(70)の加熱用熱交換器により構成されていることを特徴とする調湿装置。
【請求項５】
請求項１または２に記載の調湿装置において、
調湿通路(85)及び補助通路(86)へ流入する前の第２空気を加熱する再生用加熱器(72)と、補助通路(86)を通過した第２空気を調湿通路(85)への流入前に加熱する補助加熱器(78,79)とを備えていることを特徴とする調湿装置。
【請求項６】
請求項５に記載の調湿装置において、
冷媒が循環して冷凍サイクルを行う冷媒回路(70)を備え、
再生用加熱器(72)及び補助加熱器(78,79)が該冷媒回路(70)の加熱用熱交換器により構成されていることを特徴とする調湿装置。
【請求項７】
請求項１または２に記載の調湿装置において、
第１吸着素子(81)と第２吸着素子(82)とを備えるとともに、第１吸着素子(81)で第１空気の水分を吸着して第２吸着素子(82)で第２空気へ水分を放出する第１動作と、第２吸着素子(82)で第１空気の水分を吸着して第１吸着素子(81)で第２空気へ水分を放出する第２動作とを交互に切り換えるバッチ式の運転動作を行うように構成され、
第１空気の水分を吸着する吸着素子(81,82)の補助通路(86)に冷却用空気が流れる冷却吸着動作と、第２空気へ水分を放出する吸着素子(82,81)の補助通路(86)に加熱用空気が流れる加熱再生動作とが可能に構成されていることを特徴とする調湿装置。
【請求項８】
請求項７に記載の調湿装置において、
第１空気の水分を吸着する吸着素子(81,82)の補助通路(86)に冷却用空気が流れる冷却吸着動作と、第２空気へ水分を放出する吸着素子(82,81)の補助通路(86)に加熱用空気が流れる加熱再生動作とが同時に行われるように構成されていることを特徴とする調湿装置。
【請求項９】
請求項７に記載の調湿装置において、
第１空気の水分を吸着する吸着素子(81,82)の補助通路(86)に冷却用空気が流れる冷却吸着動作と、第２空気へ水分を放出する吸着素子(82,82)の補助通路(86)に加熱用空気が流れる加熱再生動作とが選択的に切り換え可能に構成されていることを特徴とする調湿装置。
【請求項１０】
請求項７から９のいずれか１に記載の調湿装置において、
一方の吸着素子(81,82)の調湿通路(85)及び補助通路(86)へ流入する前の第２空気を加熱する再生用加熱器(72)と、他方の吸着素子(81,82)の調湿通路(85)を流出した後の第１空気を冷却する冷却器(79,78)とを備えていることを特徴とする調湿装置。
【請求項１１】
請求項１０に記載の調湿装置において、
冷媒が循環して冷凍サイクルを行う冷媒回路(70)を備え、
再生用加熱器(72)が該冷媒回路(70)の加熱用熱交換器により構成され、冷却器(79,78)が該冷媒回路(70)の冷却用熱交換器により構成されていることを特徴とする調湿装置。
【請求項１２】
請求項７から９のいずれか１に記載の調湿装置において、
一方の吸着素子(81,82)の調湿通路(85)及び補助通路(86)へ流入する前の第２空気を加熱する再生用加熱器(72)と、補助通路(86)を通過した第２空気を調湿通路(85)への流入前に加熱する補助加熱器(78,79)と、他方の吸着素子(81,82)の調湿通路(85)を流出した後の第１空気を冷却する冷却器(79,78)とを備えていることを特徴とする調湿装置。
【請求項１３】
請求項１２に記載の調湿装置において、
冷媒が循環して冷凍サイクルを行う冷媒回路(70)を備え、
再生用加熱器(72)及び補助加熱器(78,79)が該冷媒回路(70)の加熱用熱交換器により構成され、冷却器(79,78)が該冷媒回路(70)の冷却用熱交換器により構成されていることを特徴とする調湿装置。
【請求項１４】
請求項１１または１３に記載の調湿装置において、
冷媒回路(70)における冷媒の循環方向が可逆に構成され、
バッチ式の運転動作における吸着側と再生側の切り換えに応じて冷媒回路(70)の循環方向を切り換えるように構成されていることを特徴とする調湿装置。
【発明の詳細な説明】
【技術分野】
【０００１】
本発明は、吸着素子により空気の湿度を調節する調湿装置に関し、特に、第１空気からの水分の吸着と第２空気への水分の放出とが可能な吸着素子を用いた調湿装置に係るものである。
【背景技術】
【０００２】
従来より、吸着剤を含む吸着素子で空気の湿度調節を行う調湿装置が知られている（例えば、特許文献１参照）。この特許文献１には、吸着素子を２つ備えて下記のバッチ式の動作を行う調湿装置が開示されている。この調湿装置には、冷凍サイクルを行う冷媒回路も設けられている。
【０００３】
上記吸着素子は、第１空気の水分を吸着することで該第１空気を減湿する一方、第２空気へ水分を放出することで再生される。そして、上記調湿装置は、第１の吸着素子で第１空気を減湿しながら第２の吸着素子を第２空気で再生する第１動作と、第１の吸着素子を第２空気で再生しながら第２の吸着素子で第１空気を減湿する第２動作とを交互に切り換えるバッチ式の運転動作を行い、除湿空気（第１空気）または加湿空気（第２空気）を室内へ連続して供給するように構成されている。
【０００４】
例えば、除湿運転時、第１空気は、吸着素子での減湿後に、更に冷媒回路の蒸発器で冷却されてから室内へ供給される。このとき、第２空気は、冷媒回路の凝縮器で加熱されてから吸着素子へ供給される。そして、高温の第２空気が供給された吸着素子から水分が脱離してその吸着素子が再生される。
【０００５】
なお、減湿された第１空気を室内へ供給すると除湿運転を行えるが、このときの第２空気は加湿されているので、第１空気を室内に供給せずに第２空気を室内に供給すると、加湿運転を行うこともできる。
【特許文献１】特開平１０−９６３３号公報
【発明の開示】
【発明が解決しようとする課題】
【０００６】
しかし、吸着素子の再生中には、高温の水分の放出に伴って吸着素子が放熱するため、素子が冷却されることになる。つまり、再生中に水分放出量（再生量）を多くしようとすると吸着素子を高温にする必要があるのに対して、逆に素子が冷却されることになるために、再生量が不十分になってしまう。こうなると、次に第１空気の水分を吸着するときの吸着量も少なくなり、装置の性能が低下してしまう。
【０００７】
本発明は、このような問題点に鑑みて創案されたものであり、その目的は、吸着素子を用いた調湿装置において、吸着素子の再生中の水分放出量を増やすことにより、装置の性能を高めることである。
【課題を解決するための手段】
【０００８】
本発明は、吸着素子(81,82)から第２空気へ水分を放出する際に、吸着素子(81,82)を加熱用流体で加熱するようにしたものである。
【０００９】
具体的に、第１の発明は、表面に吸着材が設けられ、第１空気からの水分の吸着と第２空気への水分の放出とが可能な調湿通路(85)と、該調湿通路(85)の水分の吸着時に調湿通路(85)を冷却し、水分の放出時に調湿通路(85)を加熱する空気が流れる補助通路(86)とを有する吸着素子(81,82)を備え、該吸着素子(81,82)で空気を調湿して室内へ供給する調湿装置を前提としている。そして、この調湿装置は、上記吸着素子(81,82)の補助通路(86)は、上記調湿通路(85)から水分を放出することにより該吸着素子(81,82)を再生するときに、調湿通路(85)を通過する前の第２空気の全部が加熱用流体として流入するように構成されていることを特徴としている。
【００１０】
この第１の発明では、調湿通路(85)で第１空気から吸着した水分を第２空気に放出して吸着素子(81,82)を再生するとき、補助通路(86)には加熱用流体が流れる。この加熱用流体を流すことにより、吸着素子(81,82)が加熱される。したがって、水分の放出に伴って吸着素子(81,82)が放熱をしても該吸着素子(81,82)を高温に保つことができるため、従来よりも水分放出量（再生量）を多くすることができる。このため、次に第１空気の水分を吸着するときの吸着量も多くすることができる。
【００１１】
また、吸着素子(81,82)の再生時には、調湿通路(85)を通過する前の第２空気の全部が加熱用流体として補助通路(86)に流入する。第２空気は吸着素子(81,82)を再生するための空気であり、高温であるため、この第２空気が補助通路(86)を流れて吸着素子(81,82)を加熱した後に調湿通路(85)を流れることで、吸着素子(81,82)の温度が再生時に低下するのを抑えられる。これにより、十分な再生量を確保できることになり、吸着量の低下も防止できる。
【００１２】
第２の発明は、表面に吸着材が設けられ、第１空気からの水分の吸着と第２空気への水分の放出とが可能な調湿通路(85)と、該調湿通路(85)の水分の吸着時に調湿通路(85)を冷却し、水分の放出時に調湿通路(85)を加熱する空気が流れる補助通路(86)とを有する吸着素子(81,82)を備え、該吸着素子(81,82)で空気を調湿して室内へ供給する調湿装置を前提としている。そして、上記吸着素子(81,82)の補助通路(86)は、上記調湿通路(85)から水分を放出することにより該吸着素子(81,82)を再生するときに、調湿通路(85)を通過する前の第２空気の一部が加熱用流体として流入し、残りの第２空気と合流して調湿通路(85)を通過するように構成されていることを特徴としている。
【００１３】
この第２の発明では、吸着素子(81,82)の再生時には、調湿通路(85)を通過する前の第２空気の一部が加熱用流体として補助通路(86)に流入する。第２空気は吸着素子(81,82)を再生するための空気であり、高温であるため、この第２空気の一部が補助通路(86)を流れて吸着素子(81,82)を加熱しながら、その後に残りの第２空気と合流して調湿通路(85)を流れることで、吸着素子(81,82)の温度が再生時に低下するのを抑えられる。これにより、十分な再生量を確保できることになり、吸着量の低下も防止できる。
【００１４】
第３の発明は、第１または第２の発明の調湿装置において、調湿通路(85)及び補助通路(86)へ流入する前の第２空気を加熱する再生用加熱器(72)を備えていることを特徴としている。
【００１５】
この第３の発明では、吸着素子(81,82)の再生時に調湿通路(85)及び補助通路(86)へ流入する前の第２空気が再生用加熱器(72)で加熱される。したがって、吸着素子(81,82)を補助通路(86)と調湿通路(85)において十分に加熱できるので、吸着素子(81,82)の温度が低下するのを確実に防止できる。これにより、十分な再生量を確保でき、吸着量の低下も防止できる。
【００１６】
第４の発明は、第３の発明の調湿装置において、冷媒が循環して冷凍サイクルを行う冷媒回路(70)を備え、再生用加熱器(72)が該冷媒回路(70)の加熱用熱交換器により構成されていることを特徴としている。
【００１７】
この第４の発明では、冷媒回路(70)の加熱用熱交換器である再生用加熱器(72)で冷媒が放熱することにより、第２空気及び加熱用流体が加熱される。そして、吸着素子(81,82)は、加熱用流体により加熱されるとともに第２空気により再生されるので、十分な再生量を確保でき、吸着量の低下も防止できる。
【００１８】
第５の発明は、第１または第２の発明の調湿装置において、調湿通路(85)及び補助通路(86)へ流入する前の第２空気を加熱する再生用加熱器(72)と、補助通路(86)を通過した第２空気を調湿通路(85)への流入前に加熱する補助加熱器(78,79)とを備えていることを特徴としている。
【００１９】
この第５の発明では、吸着素子(81,82)の再生時に調湿通路(85)及び補助通路(86)へ流入する前の第２空気が再生用加熱器(72)で加熱されるとともに、補助通路(86)を通過した第２空気が調湿通路(85)への流入前に再度補助加熱器(78,79)で加熱される。したがって、吸着素子(81,82)を補助通路(86)と調湿通路(85)において十分に加熱できるので、吸着素子(81,82)の温度が低下するのを確実に防止できる。これにより、十分な再生量を確保でき、吸着量の低下も防止できる。
【００２０】
第６の発明は、第５の発明の調湿装置において、冷媒が循環して冷凍サイクルを行う冷媒回路(70)を備え、再生用加熱器(72)及び補助加熱器(78,79)が該冷媒回路(70)の加熱用熱交換器により構成されていることを特徴としている。
【００２１】
この第６の発明では、冷媒回路(70)の加熱用熱交換器である再生用加熱器(72)及び補助加熱器(78,79)で冷媒が放熱することにより、第２空気及び加熱用流体が加熱される。そして、吸着素子(81,82)は、加熱用流体により加熱されるとともに第２空気により再生されるので、十分な再生量を確保でき、吸着量の低下も防止できる。
【００２２】
第７の発明は、第１または第２の発明の調湿装置において、第１吸着素子(81)と第２吸着素子(82)とを備えるとともに、第１吸着素子(81)で第１空気の水分を吸着して第２吸着素子(82)で第２空気へ水分を放出する第１動作と、第２吸着素子(82)で第１空気の水分を吸着して第１吸着素子(81)で第２空気へ水分を放出する第２動作とを交互に切り換えるバッチ式の運転動作を行うように構成され、第１空気の水分を吸着する吸着素子(81,82)の補助通路(86)に冷却用空気が流れる冷却吸着動作と、第２空気へ水分を放出する吸着素子(82,81)の補助通路(86)に加熱用空気が流れる加熱再生動作とが可能に構成されていることを特徴としている。
【００２３】
この第７の発明では、第１吸着素子(81)で第１空気の水分を吸着して第２吸着素子(82)で第２空気へ水分を放出する第１動作と、第２吸着素子(82)で第１空気の水分を吸着して第１吸着素子(81)で第２空気へ水分を放出する第２動作とを交互に切り換えながら、第１空気を室内に供給すると除湿運転を行うことができ、第２空気を室内に供給すると加湿運転を行うことができる。
【００２４】
ここで、夏期の除湿運転時を例として、吸着素子(81,82)を加熱しながら再生する作用について図２８の空気線図を用いて具体的に説明する。なお、この空気線図は、空気の状態変化を概念的に表したもので、実際の除湿量や加湿量、あるいは温度変化などを正確に表すものではない。
【００２５】
まず、減湿対象空気であるＡ点の第１空気（室外空気）は、一方の吸着素子(81,82)を通過する際に絶対湿度が低下するとともに温度が上昇してＢ点へ変化する。そして、Ｂ点の空気は、図には示していないが必要に応じて冷却され、室内に供給される。一方、吸着素子(81,82)を再生するためのＣ点の第２空気（室内空気）は、一方の吸着素子(81,82)の吸着熱を吸熱してＤ点まで加熱され、さらに再生用加熱器(72)でＥ点まで加熱される。この第２空気は他方の吸着素子(81,82)を通過する際に該吸着素子(81,82)を再生し、その際に絶対湿度が上昇するとともに温度が低下してＦ点に変化し、室外に排出される。
【００２６】
ここで、除湿運転時に、吸着素子(81,82)の再生側は、室内空気が室外空気の相対湿度線（等湿度線）φ１を越えるほどには状態変化しない。つまり、室内空気は、Ｆ点を最大でも室外空気のＡ点が通る相対湿度線φ１までしか変化させることができず、この室外空気の相対湿度線φ１上のポイントＦ１が再生の限界になる。したがって、その場合の再生量はΔＸとなる。一方、加熱しながら再生を行うとＦ点の温度が上記相対湿度線φ１上で上昇するため、ΔＸがΔＸ’へ拡大される。このため、再生量が増大することになる。
【００２７】
このように、再生中の吸着素子(81,82)の補助通路(86)に加熱用流体を流すと、該吸着素子(81,82)の温度低下を抑えることにより、十分な再生量を確保できる。
【００２８】
一方、冬期の加湿運転時について、吸着素子(81,82)を冷却しながら吸着する作用を図２９の空気線図を用いて説明する。この場合、Ａ点の第１空気（例えば室内空気）は、一方の吸着素子(81,82）を通過する際にＡ点からＢ点に変化し、室外に放出される。加湿対象空気であるＣ点の第２空気（室外空気）は、一方の吸着素子(81,82)と再生用加熱器(72)でＥ点まで加熱される。この第２空気は他方の吸着素子(81,82)を通過する際に該吸着素子(81,82)を再生し、その際に加湿されてＦ点に変化し、室内に供給される。
【００２９】
ここで、原理的吸脱着過程による状態点をＦ点とすると、実際の吸脱着過程ではＦ１点となり、加湿量は少なくなる。これに対して、冷却吸着動作を行って吸着量を増やしておけば、その場合の空気の状態はＦ２点となり、加湿量が増大する。また、加熱再生動作を行った場合はＦ３点となり、吸着冷却動作と同時に加熱再生動作を行った場合はＦ４点となって、いずれも加湿量が増大する。
【００３０】
要するに、吸着中の吸着素子(81,82)の補助通路(86)に冷却用流体を流すと、水分の吸着によって発生する吸着熱を該冷却用流体で吸熱できるので、冷却用流体を流さない場合には吸着熱によって吸着素子(81,82)の温度が上昇して吸着性能が低下するが、冷却用流体を流すことで吸着性能の低下を防止でき、加湿量を増大できる。
【００３１】
第８の発明は、第７の発明の調湿装置において、第１空気の水分を吸着する吸着素子(81,82)の補助通路(86)に冷却用空気が流れる冷却吸着動作と、第２空気へ水分を放出する吸着素子(82,81)の補助通路(86)に加熱用空気が流れる加熱再生動作とが同時に行われるように構成されていることを特徴としている。
【００３２】
この第８の発明では、第１吸着素子(81)と第２吸着素子(82)を備えた調湿装置においてバッチ式の運転動作を行うときに、一方の吸着素子(81,82)で冷却吸着動作を行いながら、他方の吸着素子(82,81)で加熱再生動作を行う。これにより、吸着性能と再生性能の両方を高められるので、トータルの性能が向上する。
【００３３】
第９の発明は、第７の発明の調湿装置において、第１空気の水分を吸着する吸着素子(81,82)の補助通路(86)に冷却用空気が流れる冷却吸着動作と、第２空気へ水分を放出する吸着素子(82,81)の補助通路(86)に加熱用空気が流れる加熱再生動作とが選択的に切り換え可能に構成されていることを特徴としている。
【００３４】
この第９の発明では、第１吸着素子(81)と第２吸着素子(82)を備えた調湿装置においてバッチ式の運転動作を行うときに、一方の吸着素子(81,82)での冷却吸着動作と、他方の吸着素子(82,81)での加熱再生動作とが選択的に切り換えられる。これにより、吸着性能と再生性能のいずれかを高められるので、性能が向上する。
【００３５】
第１０の発明は、第７から第９のいずれか１の発明の調湿装置において、一方の吸着素子(81,82)の調湿通路(85)及び補助通路(86)へ流入する前の第２空気を加熱する再生用加熱器(72)と、他方の吸着素子(81,82)の調湿通路(85)を流出した後の第１空気を冷却する冷却器(79,78)とを備えていることを特徴としている。
【００３６】
この第１０の発明では、再生側の吸着素子(81,82)の調湿通路(85)及び補助通路(86)へ流入する前の第２空気が再生用加熱器(72)で加熱される。したがって、吸着素子(81,82)を補助通路(86)と調湿通路(85)において十分に加熱できるので、再生時に吸着素子(81,82)の温度が低下するのを確実に防止できる。これにより、十分な再生量を確保でき、吸着量の低下も防止できる。また、吸着側の吸着素子(81,82)の調湿通路(85)を流出した後の第１空気は冷却器で冷却される。したがって、吸着時に吸着素子(81,82)の温度が上昇するのも確実に防止できる。
【００３７】
第１１の発明は、第１０の発明の調湿装置において、冷媒が循環して冷凍サイクルを行う冷媒回路(70)を備え、再生用加熱器(72)が該冷媒回路(70)の加熱用熱交換器により構成され、冷却器(79,78)が該冷媒回路(70)の冷却用熱交換器により構成されていることを特徴としている。
【００３８】
この第１１の発明では、冷媒回路(70)の加熱用熱交換器である再生用加熱器(72)で冷媒が放熱することにより、加熱用空気及び第２空気が加熱される。そして、再生側の吸着素子(81,82)は、加熱用空気により加熱されるとともに第２空気により再生されるので、十分な再生量を確保でき、吸着量の低下も防止できる。また、冷媒回路(70)の冷却用熱交換器である冷却器(79,78)で冷媒が吸熱することにより、冷却用空気が冷却される。そして、吸着側の吸着素子(81,82)は、冷却用空気により冷却されて第１空気を減湿するので、十分な吸着量を確保できる。
【００３９】
第１２の発明は、第７から第９のいずれか１の発明の調湿装置において、一方の吸着素子(81,82)の調湿通路(85)及び補助通路(86)へ流入する前の第２空気を加熱する再生用加熱器(72)と、補助通路(86)を通過した第２空気を調湿通路(85)への流入前に加熱する補助加熱器(78,79)と、他方の吸着素子(81,82)の調湿通路(85)を流出した後の第１空気を冷却する冷却器(79,78)とを備えていることを特徴としている。
【００４０】
この第１２の発明では、再生側の吸着素子(81,82)の調湿通路(85)及び補助通路(86)へ流入する前の第２空気が再生用加熱器(72)で加熱されるとともに、補助通路(86)を通過した第２空気が調湿通路(85)への流入前に再度補助加熱器(78,79)で加熱される。したがって、吸着素子(81,82)を補助通路(86)と調湿通路(85)において十分に加熱できるので、再生時に吸着素子(81,82)の温度が低下するのを確実に防止できる。これにより、十分な再生量を確保でき、吸着量の低下も防止できる。また、吸着側の吸着素子(81,82)の調湿通路(85)を流出した後の第１空気は冷却器で冷却される。したがって、吸着時に吸着素子(81,82)の温度が上昇するのも確実に防止できる。
【００４１】
第１３の発明は、第１２の発明の調湿装置において、冷媒が循環して冷凍サイクルを行う冷媒回路(70)を備え、再生用加熱器(72)及び補助加熱器(78,79)が該冷媒回路(70)の加熱用熱交換器により構成され、冷却器(79,78)が該冷媒回路(70)の冷却用熱交換器により構成されていることを特徴としている。
【００４２】
この第１３の発明では、冷媒回路(70)の加熱用熱交換器である再生用加熱器(72)及び補助加熱器(78,79)で冷媒が放熱することにより、加熱用流体及び第２空気が加熱される。そして、再生側の吸着素子(81,82)は、加熱用流体により加熱されるとともに第２空気により再生されるので、十分な再生量を確保でき、吸着量の低下も防止できる。また、冷媒回路(70)の冷却用熱交換器である冷却器(79,78)で冷媒が吸熱することにより、冷却用空気が冷却される。そして、吸着側の吸着素子(81,82)は、冷却用空気により冷却されて第１空気を減湿するので、十分な吸着量を確保できる。
【００４３】
第１４の発明は、第１１または第１３の発明の調湿装置において、冷媒回路(70)における冷媒の循環方向が可逆に構成され、バッチ式の運転動作における吸着側と再生側の切り換えに応じて冷媒回路(70)の循環方向を切り換えるように構成されていることを特徴としている。
【００４４】
この第１４の発明では、調湿装置においてバッチ式の切り換え動作を行うときに、再生側の吸着素子(81,82)の補助通路(86)に加熱用流体を流し、吸着側の吸着素子(81,82)の補助通路(86)に冷却用空気を流すのに合わせて冷媒回路(70)における冷媒の循環方向が切り換えられる。そして、この場合も、加熱再生や冷却吸着を行うことで性能向上を図ることが可能となる。
【発明の効果】
【００４５】
上記第１の発明によれば、吸着素子(81,82)に、該吸着素子(81,82)を再生するときに加熱用流体が流れる補助通路(86)を設けているため、吸着素子(81,82)の再生時には補助通路(86)を流れる加熱用流体によって吸着素子(81,82)が加熱される。このことにより、吸着素子(81,82)を高温に保つことができるため、従来よりも水分放出量（再生量）を多くすることが可能となる。したがって、次に第１空気の水分を吸着するときの吸着量も多くすることができるので、装置の性能が向上する。
【００４６】
また、吸着素子(81,82)の再生時には、吸着素子(81,82)を再生するための高温の第２空気がすべて加熱用流体として補助通路(86)を流れて該吸着素子(81,82)を加熱した後、調湿通路(85)を流れるので、吸着素子(81,82)の温度が低下するのを抑えられる。したがって、十分な再生量を確保できることになり、吸着量の低下も防止できる。
【００４７】
上記第２の発明によれば、吸着素子(81,82)の再生時には、調湿通路(85)を通過する前の高温の第２空気の一部が加熱用流体として補助通路(86)に流入することで吸着素子(81,82)を加熱しながら、残りの第２空気と合流して調湿通路(85)を流れることで、吸着素子(81,82)は温度が低下せずに再生される。したがって、十分な再生量を確保できることになり、吸着量の低下も防止できる。
【００４８】
上記第３の発明によれば、吸着素子(81,82)の再生時に調湿通路(85)へ流入する前の第２空気が再生用加熱器(72)で加熱されることで、吸着素子(81,82)を十分に加熱できるので、吸着素子(81,82)の温度が低下するのを確実に防止できる。これにより、十分な再生量を確保でき、吸着量の低下も防止できる。
【００４９】
上記第４の発明によれば、冷媒回路(70)の加熱用熱交換器である再生用加熱器(72)で第２空気及び加熱用流体を加熱して、吸着素子(81,82)を再生するようにしているので、十分な再生量を確保でき、吸着量の低下も防止できる。
【００５０】
上記第５の発明によれば、吸着素子(81,82)の再生時に調湿通路(85)へ流入する前の第２空気が再生用加熱器(72)で加熱されるとともに、補助通路(86)を通過した第２空気が調湿通路(85)への流入前に補助加熱器(78,79)で加熱されることで、吸着素子(81,82)を十分に加熱できるので、吸着素子(81,82)の温度が低下するのを確実に防止できる。これにより、十分な再生量を確保でき、吸着量の低下も防止できる。
【００５１】
上記第６の発明によれば、冷媒回路(70)の加熱用熱交換器である再生用加熱器(72)及び補助加熱器(78,79)で第２空気及び加熱用流体を加熱して、吸着素子(81,82)を再生するようにしているので、十分な再生量を確保でき、吸着量の低下も防止できる。
【００５２】
上記第７の発明によれば、第１吸着素子(81)で第１空気の水分を吸着して第２吸着素子(82)で第２空気へ水分を放出する第１動作と、第２吸着素子(82)で第１空気の水分を吸着して第１吸着素子(81)で第２空気へ水分を放出する第２動作とを交互に切り換えるバッチ式の運転動作を行う際に、第２空気へ水分を放出する吸着素子(81,82)の補助通路(86)に加熱用流体を流して行う加熱再生動作と、第１空気の水分を吸着する吸着素子(81,82)の補助通路(86)に冷却用流体を流して行う冷却吸着動作とが可能であるため、十分な再生量を確保することで再生性能を高められるとともに、十分な吸着量を確保することで吸着性能も高められる。
【００５３】
上記第８の発明によれば、第１吸着素子(81)と第２吸着素子(82)を備えた調湿装置においてバッチ式の運転動作を行うときに、一方の吸着素子(81,82)での冷却吸着動作と他方の吸着素子(82,81)での加熱再生動作を同時に行うようにしているので、吸着性能と再生性能の両方を同時に高められることになり、トータルの性能が向上する。
【００５４】
上記第９の発明によれば、第１吸着素子(81)と第２吸着素子(82)を備えた調湿装置においてバッチ式の運転動作を行うときに、一方の吸着素子(81,82)での冷却吸着動作と他方の吸着素子(82,81)での加熱再生動作とを選択的に切り換えて行うようにしているので、吸着性能と再生性能のいずれかを高められる。
【００５５】
上記第１０の発明によれば、一方の吸着素子(81,82)の調湿通路(85)へ流入する前の第２空気を加熱する再生用加熱器(72)と、他方の吸着素子(82,81)の調湿通路(85)へ流入する前の冷却用流体を冷却する冷却器(79,78)とを設けているので、再生側の吸着素子(81,82)を再生用加熱器(72)で加熱でき、吸着側の吸着素子(81,82)を冷却器で冷却できる。したがって、再生時に吸着素子(81,82)の温度が低下するのを確実に防止できるので、十分な再生性能を確保でき、吸着時に吸着素子(81,82)の温度が上昇するのも確実に防止できるので、吸着性能も確保できる。
【００５６】
上記第１１の発明によれば、再生用加熱器(72)で加熱用流体及び第２空気が加熱されるので、十分な再生量を確保でき、吸着量の低下も防止できる。また、冷却器(79,78)で冷却用流体が冷却されるので、十分な吸着量も確保できる。
【００５７】
上記第１２の発明によれば、一方の吸着素子(81,82)の調湿通路(85)へ流入する前の第２空気を加熱する再生用加熱器(72)と、該吸着素子(81,82)の補助通路(86)を通過した第２空気を調湿通路(85)への流入前に加熱する補助加熱器(78,79)と、他方の吸着素子(82,81)の調湿通路(85)へ流入する前の冷却用流体を冷却する冷却器(79,78)とを設けているので、再生側の吸着素子(81,82)を再生用加熱器(72)と補助加熱器(78,79)とで加熱でき、吸着側の吸着素子(81,82)を冷却器で冷却できる。したがって、再生時に吸着素子(81,82)の温度が低下するのを確実に防止できるので、十分な再生性能を確保でき、吸着時に吸着素子(81,82)の温度が上昇するのも確実に防止できるので、吸着性能も確保できる。
【００５８】
上記第１３の発明によれば、再生用加熱器(72)及び補助加熱器(78,79)で加熱用流体及び第２空気が加熱されるので、十分な再生量を確保でき、吸着量の低下も防止できる。また、冷却器(79,78)で冷却用流体が冷却されるので、十分な吸着量も確保できる。
【００５９】
上記第１４の発明によれば、調湿装置においてバッチ式の切り換え動作を行うときに、再生側の吸着素子(81,82)の補助通路(86)に加熱用流体を流し、吸着側の吸着素子(81,82)の補助通路(86)に冷却用流体を流すのに合わせて冷媒回路(70)における冷媒の循環方向を切り換えながら、加熱再生や冷却吸着を行うことで性能向上を図ることが可能となる。
【発明を実施するための最良の形態】
【００６０】
以下、本発明の実施形態を図面に基づいて詳細に説明する。
【００６１】
《発明の実施形態１》
−調湿装置の構成−
実施形態１に係る調湿装置(1)は、減湿された空気を室内へ供給する除湿運転と、加湿された空気を室内へ供給する加湿運転とを切り換えて行うように構成されている。また、この調湿装置(1)は、２つの吸着素子(81,82)を備え、吸着側と再生側を交互に切り換えるバッチ式の運転動作を行うように構成されている。ここでは、本実施形態に係る調湿装置(1)の構成について、図１、図２を参照しながら説明する。なお、本実施形態１の説明において、「上」「下」「左」「右」「前」「後」「手前」「奥」などの用語は、特にことわらない限り、図１（Ａ）に示す調湿装置(1)を正面側（図の下方側）から見た場合の方向性を意味している。
【００６２】
図１において、(Ａ)は上面図、(Ｂ)は左側面図、(Ｃ)は右側面図、（Ｄ）は背面図である。この図１に示すように、上記調湿装置(1)は、やや扁平な直方体状のケーシング(10)を備えている。このケーシング(10)内には、室外空気を吸引して室内へ供給する第１の空気通路と、室内空気を吸引して室外へ排出する第２の空気通路とが形成されている。また、ケーシング(10)には、２つの吸着素子(81,82)と再生熱交換器（再生用加熱器）(72)とが収納されている。吸着素子(81,82)は、各空気通路に一つずつ配置されている。再生熱交換器(72)は内部を温水が流れて空気を加熱する熱交換器であり、両吸着素子(81,82)の間に配置されている。
【００６３】
図２に示すように、上記吸着素子(81,82)は、平板状の平板部材(83)と波形状の波板部材(84)とが交互に積層して構成されている。波板部材(84)は、隣接する波板部材(84)の稜線方向が互いに９０°ずれる姿勢で積層されている。そして、吸着素子(81,82)は、全体として直方体状ないし四角柱状に形成されている。
【００６４】
上記吸着素子(81,82)には、平板部材(83)及び波板部材(84)の積層方向において、調湿通路(85)と補助通路(86)とが平板部材(83)を挟んで交互に区画形成されている。この吸着素子(81,82)において、平板部材(83)の長辺側の側面に調湿通路(85)が開口し、平板部材(83)の短辺側の側面に補助通路(86)が開口している。
【００６５】
上記吸着素子(81,82)において、調湿通路(85)に臨む平板部材(83)の表面や、調湿通路(85)に設けられた波板部材(84)の表面には、水蒸気を吸着するための吸着材が塗布されている。この種の吸着材としては、例えばシリカゲル、ゼオライト、イオン交換樹脂等が挙げられる。
【００６６】
図１に示すように、上記ケーシング(10)において、最も手前側には第１パネル(11)が設けられ、最も奥側には第２パネル(12)が設けられている。第１パネル(11)には、その左端寄りの下部に給気口(14)が形成され、その右端寄りの下部に排気口(16)が形成されている。一方、第２パネル(12)には、左端寄りの下部に室内側吸引口(13)が形成され、右端寄りの下部に室外側吸引口(15)が形成されている。
【００６７】
上記ケーシング(10)の内部は、手前側の第１パネル(11)から奥側の第２パネル(12)へ向かう方向において２つの空間に仕切られている。
【００６８】
まず、上記ケーシング(10)の第２パネル(12)側、つまり、ケーシング(10)の奥側に形成された空間について説明する。この空間は、右側仕切板(20)と左側仕切板(30)とによって左右方向に３つの空間に仕切られている。
【００６９】
上記右側仕切板(20)の右側の空間は、右側上下仕切板(28)により上下に仕切られている。そして、この空間は、上側の空間が右上部流路(65)を構成し、下側の空間が右下部流路(66)を構成している。上記右下部流路(66)は、室外側吸込口(15)を介して室外に連通している。
【００７０】
上記左側仕切板(30)の左側の空間は、左側上下仕切板(38)により上下に仕切られている。そして、この空間は、上側の空間が左上部流路(67)を構成し、下側の空間が左下部流路(68)を構成している。上記左下部流路(68)は、室内側吸込口(13)を介して室内に連通している。
【００７１】
上記右側仕切板(20)と左側仕切板(30)との間の空間には、２つの吸着素子(81,82)が設置されている。これら吸着素子(81,82)は、所定の間隔を介して前後に並んで配置されている。具体的には、手前側の第１パネル(11)寄りに第１吸着素子(81)が設置され、奥側の第２パネル(12)寄りに第２吸着素子(82)が設置されている。
【００７２】
上記各吸着素子(81,82)は、平板部材(83)及び波板部材(84)の積層方向がケーシング(10)の左右方向と一致するように配置されている。そして、上記各吸着素子(81,82)は、調湿通路(85)がケーシング(10)の上下方向に向かって開口し、補助通路(86)がケーシング(10)の前後方向に向かって開口している。
【００７３】
また、上記右側仕切板(20)と左側仕切板(30)との間の空間は、第１流路(51)、第２流路(52)、第１上部流路(53)、第１下部流路(54)、第２上部流路(55)、第２下部流路(56)及び中央流路(57)に区画されている。
【００７４】
上記第１流路(51)は、第１吸着素子(81)の手前側に形成され、第１吸着素子(81)の補助通路(86)に連通している。上記第２流路(52)は、第２吸着素子(82)の奥側に形成され、第２吸着素子(82)の補助通路(86)に連通している。
【００７５】
上記第１上部流路(53)は、第１吸着素子(81)の上側に形成され、第１吸着素子(81)の調湿通路(85)に連通している。上記第１下部流路(54)は、第１吸着素子(81)の下側に形成され、第１吸着素子(81)の調湿通路(85)に連通している。一方、上記第２上部流路(55)は、第２吸着素子(82)の上側に形成され、第２吸着素子(82)の調湿通路(85)に連通している。上記第２下部流路(56)は、第２吸着素子(82)の下側に形成され、第２吸着素子(82)の調湿通路(85)に連通している。
【００７６】
上記中央流路(57)は、第１吸着素子(81)と第２吸着素子(82)との間に形成され、双方の吸着素子(81,82)の補助通路(86)に連通している。この中央流路(57)には、再生熱交換器(72)がほぼ水平に寝かせられた状態で設置されている。再生熱交換器(72)は、第１吸着素子(81)及び第２吸着素子(82)と、上面がほぼ一致する高さに配置されている。この再生熱交換器(72)は、中央流路(57)を流れる空気が温水と熱交換することによって加熱されるように構成されている。
【００７７】
上記中央流路(57)と第１下部流路(54)との間の仕切りには、内側第１シャッタ(61)が設けられている。一方、上記中央流路(57)と第２下部流路(56)との間の仕切りには、内側第２シャッタ(62)が設けられている。上記内側第１シャッタ(61)及び内側第２シャッタ(62)は、何れも開閉自在に構成されている。
【００７８】
上記第１流路(51)と第１下部流路(54)との間の仕切りには、外側第１シャッタ(63)が設けられている。一方、上記第２流路(52)と第２下部流路(56)との間の仕切りには、外側第２シャッタ(64)が設けられている。上記外側第１シャッタ(63)及び外側第２シャッタ(64)は、いずれも開閉自在に構成されている。
【００７９】
上記右側仕切板(20)には、第１右上開口(23)、第１右下開口(24)、第２右上開口(25)、第２右下開口(26)及び第３右上開口(27)が形成されている。これら開口(23,24,…)は、それぞれが開閉シャッタを備えて開閉自在に構成されている。
【００８０】
上記第１右上開口(23)は、右側仕切板(20)における第１吸着素子(81)が隣接する部分の上部に設けられている。この第１右上開口(23)の開閉シャッタが開いた状態では、第１上部流路(53)と右上部流路(65)とが互いに連通する。上記第１右下開口(24)は、右側仕切板(20)における第１吸着素子(81)が隣接する部分の下部に設けられている。この第１右下開口(24)の開閉シャッタが開いた状態では、第１下部流路(54)と右下部流路(66)とが互いに連通する。
【００８１】
上記第２右上開口(25)は、右側仕切板(20)における第２吸着素子(82)が隣接する部分の上部に設けられている。この第２右上開口(25)の開閉シャッタが開いた状態では、第２上部流路(55)と右上部流路(65)とが互いに連通する。上記第２右下開口(26)は、右側仕切板(20)における第２吸着素子(82)が隣接する部分の下部に設けられている。この第２右下開口(26)の開閉シャッタが開いた状態では、第２下部流路(56)と右下部流路(66)とが互いに連通する。
【００８２】
上記第３右上開口(27)は、第１右上開口(23)と第２右上開口(25)の間に形成され、右側仕切板(20)における再生熱交換器(72)が隣接する部分の上部に位置している。上記第３右上開口(27)の周囲には、中央流路(57)につながる右側空気導入路(69)を右側仕切板(20)との間に区画する右側仕切壁(29)が設けられている。この右側仕切壁(29)の内部の右側空気導入路(69)は、右上部流路(65)とは隔てられる一方、右側上下仕切板(28)の開口を通じて右下部流路(66)と連通している。
【００８３】
上記左側仕切板(30)には、第１左上開口(33)、第１左下開口(34)、第２左上開口(35)、第２左下開口(36)及び第３左上開口(37)が形成されている。これら開口(33,34,…)は、それぞれが開閉シャッタを備えて開閉自在に構成されている。
【００８４】
上記第１左上開口(33)は、左側仕切板(30)における第１吸着素子(81)が隣接する部分の上部に設けられている。この第１左上開口(33)の開閉シャッタが開いた状態では、第１上部流路(53)と左上部流路(67)とが互いに連通する。上記第１左下開口(34)は、左側仕切板(30)における第１吸着素子(81)が隣接する部分の下部に設けられている。この第１左下開口(34)の開閉シャッタが開いた状態では、第１下部流路(54)と左下部流路(68)とが互いに連通する。
【００８５】
上記第２左上開口(35)は、左側仕切板(30)における第２吸着素子(82)が隣接する部分の上部に設けられている。この第２左上開口(35)の開閉シャッタが開いた状態では、第２上部流路(55)と左上部流路(67)とが互いに連通する。上記第２左下開口(36)は、左側仕切板(30)における第２吸着素子(82)が隣接する部分の下部に設けられている。この第２左下開口(36)の開閉シャッタが開いた状態では、第２下部流路(56)と左下部流路(68)とが互いに連通する。
【００８６】
上記第３左上開口(37)は、第１左上開口(33)と第２左上開口(35)の間に形成され、左側仕切板(30)における再生熱交換器(72)が隣接する部分の上部に位置している。上記第３左上開口(37)の周囲には、中央流路(57)につながる左側空気導入路(70)を左側仕切板(30)との間に区画する左側仕切壁(39)が設けられている。この左側仕切壁(39)の内部の左側空気導入路(70)は、左上部流路(67)とは隔てられる一方、左側上下仕切板(38)の開口を通じて左下部流路(68)と連通している。
【００８７】
次に、上記ケーシング(10)の第１パネル(11)側、つまり、ケーシング(10)の手前側に形成された空間について説明する。この空間は、中央に設けられた２枚の区画板(40)を隔てて左右方向に３つの空間に仕切られている。そして、上記空間のうち、右側の空間が排気チャンバ(41)を構成し、左側の空間が給気チャンバ(42)を構成している。
【００８８】
上記排気チャンバ(41)は、右上部流路(65)に連通する一方、排気口(16)を介して室外に連通している。この排気チャンバ(41)には、排気ファン(96)が配置されている。上記排気ファン(96)は、被処理空気を排気口(16)から室外に送り出すためのものである。
【００８９】
上記給気チャンバ(42)は、左上部流路(67)に連通する一方、給気口(14)を介して室内に連通している。この給気チャンバ(42)には、給気ファン(95)が設置されている。上記給気ファン(95)は、被処理空気を給気口(14)から室内に送り出すためのものである。
【００９０】
−運転動作−
次に、上述した調湿装置(1)の運転動作について説明する。この調湿装置(1)は、第１の被処理空気である第１空気と第２の被処理空気である第２空気とを取り込み、除湿運転と加湿運転とを切り換えて行う。また、上記調湿装置(1)は、後述する第１動作と第２動作とを交互に繰り返すことにより、除湿運転や加湿運転を連続的に行う。
【００９１】
まず、図３を参照して除湿運転時の動作を簡単に説明する。
【００９２】
図３（Ａ）は第１動作の空気の流れを示し、図３（Ｂ）は第２動作の空気の流れを示している。第１動作では、第１空気は第１吸着素子(81)の調湿通路(85)を通過して減湿され、室内に供給される。一方、第２空気は、再生熱交換器(72)で加熱された後、第２吸着素子(82)の補助通路(86)を通過して該吸着素子(82)を加熱し、さらに第２吸着素子(82)の調湿通路を通過して該第２吸着素子(82)を再生する。第２動作では、第１空気が第２吸着素子(82)で減湿され、第２空気が第１吸着素子(81)を再生する。そして、吸着素子(81,82)に水分を与えて減湿された第１空気が室内に供給され、吸着素子(82,81)から水分を奪って該吸着素子(82,81)を再生した第２空気が室外に排出される。
【００９３】
加湿運転時は、吸着素子(81,82)から水分を奪って加湿された第２空気が室内に供給され、吸着素子(82,81)に水分を与えた第１空気が室外に排出される。
【００９４】
なお、図３（Ａ），（Ｂ）では各吸着素子(81,82)の調湿通路(85)を第１空気と第２空気が同じ向きに流れる例を示しているが、破線で示すように第１空気と第２空気が調湿通路(85)を逆向きに流れるように（対向流に）してもよい。対向流型の装置の構成は、後述の実施形態３において説明することとする。
【００９５】
〈除湿運転〉
図４，図５に示すように、この除湿運転では、給気ファン(95)を駆動すると、室外空気(OA)が第１空気として室外側吸込口(15)を通じてケーシング(10)内の右下部流路(66)に取り込まれる。一方、上記排気ファン(96)を駆動すると、室内空気(RA)が第２空気として室内側吸込口(13)を通じてケーシング(10)内の左下部流路(68)に取り込まれる。
【００９６】
また、この除湿運転時において、再生熱交換器(72)には温水が流れ、該再生熱交換器(72)を通過する空気に温水の温熱が与えられる。
【００９７】
（第１動作）
図３（Ａ）及び図４に示すように、この第１動作では、第１吸着素子(81)での吸着動作と、第２吸着素子(82)での再生動作とが行われる。つまり、上記第１動作では、第１吸着素子(81)で空気が減湿され、第２吸着素子(82)の吸着剤が再生される。
【００９８】
図４に示すように、上記右側仕切板(20)では、第１右下開口(24)及び第２右上開口(25)が開いた状態になり、残りの開口(23,26,27)が閉じた状態になっている。この状態では、第１右下開口(24)によって右下部流路(66)と第１下部流路(54)とが連通し、第２右上開口(25)によって第２上部流路(55)と右上部流路(65)とが連通している。
【００９９】
上記左側仕切板(30)では、第１左上開口(33)及び第３左上開口(37)が開いた状態になり、残りの開口(34,35,36)が閉じた状態になっている。この状態では、第３左上開口(37)によって左下部流路(68)と中央流路(57)とが左側仕切壁(39)の内部の左側空気導入路(70)を介して連通し、第１左上開口(33)によって第１上部流路(53)と左上部流路(67)とが連通している。
【０１００】
上記内側第１シャッタ(61)、内側第２シャッタ(62)、及び外側第１シャッタ(63)は、閉鎖状態となり、外側第２シャッタ(64)は開口状態となっている。この状態では、第２流路(52)と第２下部流路(56)とが外側第２シャッタ(64)を介して連通している。
【０１０１】
上記右下部流路(66)に取り込まれた第１空気は、第１右下開口(24)から第１下部流路(54)に流入する。図３（Ａ）にも示すように、上記第１下部流路(54)に流入した第１空気は、第１吸着素子(81)の調湿通路(85)に流入する。この調湿通路(85)を流れる間に、第１空気に含まれる水蒸気が第１吸着素子(81)の吸着剤に吸着される。この第１吸着素子(81)で減湿された第１空気は、第１上部流路(53)に流入する。
【０１０２】
上記第１上部流路(53)に流入した減湿後の第１空気は、第１左上開口(33)から左上部流路(67)に流入し、その後、給気チャンバ(42)に流入する。この給気チャンバ(42)に流入した第１空気は、給気ファン(95)により給気口(14)から室内に供給される。
【０１０３】
一方、上記左下部流路(68)に取り込まれた第２空気は、左側仕切壁(39)の内部の左側空気導入路(70)から第３左上開口(37)を通り、中央流路(57)へ流入する。この第２空気は、再生熱交換器(72)を上方から下方へ通過して加熱された後、第２吸着素子(82)の補助通路(86)を通過する。第２吸着素子(82)の補助通路(86)を通過した第２空気は、第２流路(52)に流入し、さらに外側第２シャッタ(64)の開口を通過して第２下部流路(56)に流入する。この第２空気は、第２吸着素子(82)の調湿通路(85)を下方から上方へ通過する。この調湿通路(85)では、第２空気によって吸着剤が加熱され、吸着剤から水蒸気が脱着する。つまり、上記第２吸着素子(82)の吸着剤が再生される。上記吸着剤から脱着した水蒸気は、第２空気と共に第２上部流路(55)に流入する。
【０１０４】
上記第２上部流路(55)に流入した第２空気は、第２右上開口(25)から右上部流路(65)に流入し、その後、排気チャンバ(41)に流入する。この排気チャンバ(41)に流入した第２空気は、排気ファン(96)により排気口(16)から室外に排出される。
【０１０５】
（第２動作）
図３（Ｂ）及び図５に示すように、この第２動作では、第１動作とは逆に、第２吸着素子(82)での吸着動作と、第１吸着素子(81)での再生動作とが行われる。つまり、上記第２動作では、第２吸着素子(82)で空気が減湿され、第１吸着素子(81)の吸着剤が再生される。
【０１０６】
図５に示すように、上記右側仕切板(20)では、第１右上開口(23)及び第２右下開口(26)が開いた状態になり、残りの開口(24,25,27)が閉じた状態になっている。この状態では、第１右上開口(23)によって第１上部流路(53)と右上部流路(65)とが連通し、第２右下開口(26)によって右下部流路(66)と第２下部流路(56)とが連通している。
【０１０７】
上記左側仕切板(30)では、第２左上開口(35)及び第３左上開口(37)が開いた状態になり、残りの開口(33,34,36)が閉じた状態になっている。この状態では、第３左上開口(37)によって左下部流路(68)と中央流路(57)とが左側仕切壁(39)の内部の左側空気導入路(70)を介して連通し、第２左上開口(35)によって第２上部流路(55)と左上部流路(67)とが連通している。
【０１０８】
上記内側第１シャッタ(61)、内側第２シャッタ(62)、及び外側第２シャッタ(64)は、閉鎖状態となり、外側第１シャッタ(63)は開口状態となっている。この状態では、第１流路(51)と第１下部流路(54)とが外側第１シャッタ(63)を介して連通している。
【０１０９】
上記右下部流路(66)に取り込まれた第１空気は、第２右下開口(26)から第２下部流路(56)に流入する。図３（Ｂ）にも示すように、上記第２下部流路(56)に流入した第１空気は、第２吸着素子(82)の調湿通路(85)に流入する。この調湿通路(85)を流れる間に、第１空気に含まれる水蒸気が第１吸着素子(81)の吸着剤に吸着される。この第２吸着素子(82)で減湿された第１空気は、第２上部流路(55)に流入する。
【０１１０】
上記第２上部流路(55)に流入した減湿後の第１空気は、第２左上開口(35)から左上部流路(67)に流入し、その後、給気チャンバ(42)に流入する。この給気チャンバ(42)に流入した第１空気は、給気ファン(95)により給気口(14)から室内に供給される。
【０１１１】
一方、上記左下部流路(68)に取り込まれた第２空気は、左側仕切壁(39)の内部の左側空気導入路(70)から第３左上開口(37)を通り、中央流路(57)へ流入する。この第２空気は、再生熱交換器(72)を上方から下方へ通過して加熱された後、第１吸着素子(81)の補助通路(86)を通過する。第１吸着素子(82)の補助通路(86)を通過した第２空気は、第１流路(51)に流入し、さらに外側第１シャッタ(63)の開口を通過して第１下部流路(54)に流入する。この第２空気は、第１吸着素子(81)の調湿通路(85)を下方から上方へ通過する。この調湿通路(85)では、第２空気によって吸着剤が加熱され、吸着剤から水蒸気が脱着する。つまり、上記第１吸着素子(82)の吸着剤が再生される。上記吸着剤から脱着した水蒸気は、第２空気と共に第２上部流路(55)に流入する。
【０１１２】
上記第１上部流路(53)に流入した第２空気は、第１右上開口(23)から右上部流路(65)に流入し、その後、排気チャンバ(41)に流入する。この排気チャンバ(41)に流入した第２空気は、排気ファン(96)により排気口(16)から室外に排出される。
【０１１３】
〈加湿運転〉
図６，図７に示すように、この加湿運転では、給気ファン(95)を駆動すると、室外空気(OA)が第２空気として室外側吸込口(15)を通じてケーシング(10)内の右下部流路(66)に取り込まれる。一方、上記排気ファン(96)を駆動すると、室内空気(RA)が第１空気として室内側吸込口(13)を通じてケーシング(10)内の左下部流路(68)に取り込まれる。
【０１１４】
また、この加湿運転時において、再生熱交換器(72)には温水が流れ、該再生熱交換器(72)を通過する空気に温水の温熱が与えられる。
【０１１５】
（第１動作）
図３（Ａ）及び図６に示すように、この第１動作では、第１吸着素子(81)での吸着動作と、第２吸着素子(82)での再生動作とが行われる。つまり、上記第１動作では、第２吸着素子(82)で空気が加湿され、第１吸着素子(81)で水蒸気が吸着剤に吸着される。
【０１１６】
図６に示すように、上記右側仕切板(20)では、第１右上開口(23)及び第３右上開口(27)が開いた状態に、残りの開口(24,25,26)が閉じた状態になっている。この状態では、第１右上開口(23)によって右上部流路(65)と第１上部流路(53)とが連通し、右下部流路(66)と中央流路(57)とが右側仕切壁(29)の内部の右側空気導入路(69)と第３右上開口(27)とを介して連通している。
【０１１７】
上記左側仕切板(30)では、第１左下開口(34)及び第２左上開口(35)が開いた状態になり、残りの開口(33,36,37)が閉じた状態になっている。この状態では、第１左下開口(34)によって左下部流路(68)と第１下部流路(54)とが連通し、第２左上開口(35)によって第２上部流路(55)と左上部流路(67)とが連通している。
【０１１８】
上記内側第１シャッタ(61)、内側第２シャッタ(62)、及び外側第１シャッタ(63)は、閉鎖状態となり、外側第２シャッタ(64)は開口状態となっている。この状態では、第２流路(52)と第２下部流路(56)とが外側第２シャッタ(64)を介して連通している。
【０１１９】
上記左下部流路(68)に取り込まれた第１空気は、第１左下開口(34)から第１下部流路(54)に流入する。図３（Ａ）にも示すように、上記第１下部流路(54)に流入した第１空気は、第１吸着素子(81)の調湿通路(85)に流入する。この調湿通路(85)を流れる間に、第１空気に含まれる水蒸気が第１吸着素子(81)の吸着剤に吸着される。この第１吸着素子(81)で水分を奪われた第１空気は、第１上部流路(53)に流入する。
【０１２０】
上記第１上部流路(53)に流入した第１空気は、第１右上開口(23)から右上部流路(65)に流入し、その後、排気チャンバ(41)に流入する。この排気チャンバ(41)に流入した第１空気は、排気ファン(96)によって排気口(16)から室外に排出される。
【０１２１】
一方、上記右下部流路(66)に取り込まれた第２空気は、右側仕切壁(29)の内部の右側空気導入路(69)から第３右上開口(27)を通り、中央流路(57)へ流入する。この第２空気は、再生熱交換器(72)を上方から下方へ通過して加熱された後、第２吸着素子(82)の補助通路(86)を通過する。第２吸着素子(82)の補助通路(86)を通過した第２空気は、第２流路(52)に流入し、さらに外側第２シャッタ(64)の開口を通過して第２下部流路(56)に流入する。この第２空気は、第２吸着素子(82)の調湿通路(85)を下方から上方へ通過する。この調湿通路(85)では、第２空気によって吸着剤が加熱され、吸着剤から水蒸気が脱着する。つまり、上記第２吸着素子(82)の吸着剤が再生される。そして、上記吸着剤から脱着した水蒸気が第２空気に付与され、第２空気が加湿される。この第２吸着素子(82)で加湿された第２空気は、第２上部流路(55)に流入する。
【０１２２】
上記第２上部流路(55)に流入した加湿後の第２空気は、第２左上開口(35)から左上部流路(67)に流入し、その後、給気チャンバ(42)に流入する。この給気チャンバ(42)に流入した第２空気は、給気ファン(95)により給気口(14)から室内に供給される。
【０１２３】
（第２動作）
図３（Ｂ）及び図７に示すように、この第２動作では、第１動作とは逆に、第２吸着素子(82)での吸着動作と、第１吸着素子(81)での再生動作とが行われる。つまり、上記第２動作では、第１吸着素子(81)で空気が加湿され、第２吸着素子(82)で水蒸気が吸着剤に吸着される。
【０１２４】
図７に示すように、上記右側仕切板(20)では、第２右上開口(25)及び第３右上開口(27)が開いた状態に、残りの開口(23,24,26)が閉じた状態になっている。この状態では、第２右上開口(25)によって右上部流路(65)と第２上部流路(55)とが連通し、右下部流路(66)と中央流路(57)とが右側仕切壁(29)の内部の右側空気導入路(69)と第３右上開口(27)とを介して連通している。
【０１２５】
上記左側仕切板(30)では、第１左上開口(33)及び第２左下開口(36)が開いた状態になり、残りの開口(34,35,37)が閉じた状態になっている。この状態では、第２左下開口(36)によって左下部流路(68)と第２下部流路(56)とが連通し、第１左上開口(35)によって第１上部流路(53)と左上部流路(67)とが連通している。
【０１２６】
上記内側第１シャッタ(61)、内側第２シャッタ(62)、及び外側第２シャッタ(64)は、閉鎖状態となり、外側第１シャッタ(63)は開口状態となっている。この状態では、第１流路(51)と第１下部流路(54)とが外側第１シャッタ(63)を介して連通している。
【０１２７】
上記左下部流路(68)に取り込まれた第１空気は、第２左下開口(36)から第２下部流路(56)に流入する。図３（Ｂ）にも示すように、上記第２下部流路(56)に流入した第１空気は、第２吸着素子(82)の調湿通路(85)に流入する。この調湿通路(85)を流れる間に、第１空気に含まれる水蒸気が第２吸着素子(82)の吸着剤に吸着される。この第２吸着素子(82)で水分を奪われた第１空気は、第２上部流路(55)に流入する。
【０１２８】
上記第２上部流路(55)に流入した第１空気は、第２右上開口(25)から右上部流路(65)に流入し、その後、排気チャンバ(41)に流入する。この排気チャンバ(41)に流入した第１空気は、排気ファン(96)によって排気口(16)から室外に排出される。
【０１２９】
一方、上記右下部流路(66)に取り込まれた第２空気は、右側仕切壁(29)の内部の右側空気導入路(69)から第３右上開口(27)を通り、中央流路(57)へ流入する。この第２空気は、再生熱交換器(72)を上方から下方へ通過して加熱された後、第１吸着素子(81)の補助通路(86)を通過する。第１吸着素子(81)の補助通路(86)を通過した第２空気は、第１流路(51)に流入し、さらに外側第１シャッタ(63)の開口を通過して第１下部流路(54)に流入する。この第２空気は、第１吸着素子(81)の調湿通路(85)を下方から上方へ通過する。この調湿通路(85)では、第２空気によって吸着剤が加熱され、吸着剤から水蒸気が脱着する。つまり、上記第１吸着素子(81)の吸着剤が再生される。そして、上記吸着剤から脱着した水蒸気が第２空気に付与され、第２空気が加湿される。この第１吸着素子(81)で加湿された第２空気は、第２上部流路(55)に流入する。
【０１３０】
上記第２上部流路(55)に流入した加湿後の第２空気は、第１左上開口(33)から左上部流路(67)に流入し、その後、給気チャンバ(42)に流入する。この給気チャンバ(42)に流入した第２空気は、給気ファン(95)により給気口(14)から室内に供給される。
【０１３１】
なお、この実施形態１では、上述した動作の説明から明らかなように内側第１シャッタ(61)及び内側第２シャッタ(62)は常に閉鎖されている。したがって、この実施形態１において上述した運転動作を行う限りは、内側第１シャッタ(61)及び内側第２シャッタ(62)は固定した仕切板としてもよい。
【０１３２】
−実施形態１の効果−
以上説明したように、この実施形態１によれば、各吸着素子(81,82)に、該吸着素子(81,82)を再生するときに加熱用流体が流れる補助通路(86)を設けているため、吸着素子(81,82)の再生時には補助通路(86)を流れる加熱用流体（第２空気）によって吸着素子(81,82)を予め加熱して、加熱再生動作を行える。このことにより、吸着素子(81,82)を高温に保つことができるため、従来よりも水分放出量（再生量）を多くすることが可能となる。したがって、次に第１空気の水分を吸着するときの吸着量も多くすることができるので、装置の性能が向上する。
【０１３３】
特に、吸着素子(81,82)の再生時に、高温の第２空気がすべて加熱用流体として補助通路(86)を流れて該吸着素子(81,82)を加熱した後、調湿通路(85)を流れるので、吸着素子(81,82)の温度が低下するのを確実に抑え、十分な再生量を確保できる。
【０１３４】
−実施形態１の変形例−
（変形例１）
変形例１は、実施形態１と同じ構造の調湿装置において、第１動作と第２動作の空気の流れを変更した例である。この例では、内側第１シャッタ(61)及び内側第２シャッタ(62)を開閉する操作を行う。
【０１３５】
図８を参照して除湿運転時の動作を簡単に説明する。
【０１３６】
図８（Ａ）は第１動作の空気の流れを示し、図８（Ｂ）は第２動作の空気の流れを示している。第１動作では、第１空気は第１吸着素子(81)の調湿通路(85)を通過して減湿され、室内に供給される。一方、第２空気は、再生熱交換器(72)で加熱された後に２つに分流し、一部が第２吸着素子(82)の補助通路(86)を通過して該吸着素子(82)を加熱した後、残りの第２空気と合流して第２吸着素子(82)の調湿通路(85)を通過し、該第２吸着素子(82)を再生する。第２動作では、第１空気が第２吸着素子(82)で減湿され、第２空気が第１吸着素子(81)を再生するときに、第２空気の一部が補助通路(86)を通過した後に第２空気の残りと合流して調湿通路(85)に流入する。そして、吸着素子(81,82)に水分を与えて減湿された第１空気が室内に供給され、吸着素子(82,81)から水分を奪って該吸着素子(82,81)を再生した第２空気が室外に排出される。
【０１３７】
図１〜図７に示した例では、内側第１シャッタ(61)及び内側第２シャッタ(62)をいずれも常に閉鎖した状態にしていたが、この変形例における図８の動作を行う場合は、外側第１シャッタ(63)を開くときに同時に内側第１シャッタ(61)を開き、外側第２シャッタ(64)を開くときに同時に内側第２シャッタ(62)を開く操作を行う。こうすることにより、再生熱交換器(72)を通過した空気の一部が吸着素子(81,82)の補助通路(86)を通過した後、残りの空気と合流して調湿通路(85)に流入する。
【０１３８】
なお、加湿運転時は、吸着素子(81,82)から水分を奪って加湿された第２空気が室内に供給され、吸着素子(82,81)に水分を与えた第１空気が室外に排出される。
【０１３９】
また、この図８の例においても、各吸着素子(81,82)の調湿通路(85)を第１空気と第２空気が同じ向きに流れる例を示しているが、破線で示すように第１空気と第２空気が調湿通路(85)を逆向きに流れるようにしてもよい。
【０１４０】
この変形例１では、吸着素子(81,82)の再生時に、調湿通路(85)を通過する前の第２空気の一部が加熱用流体として補助通路(86)に流入する。第２空気は吸着素子(81,82)を再生するための空気であり、高温であるため、第２空気の一部が補助通路(86)を流れて吸着素子(81,82)を加熱しながら、残りの第２空気と合流して調湿通路(85)を流れることで、吸着素子(81,82)の温度が再生時に低下するのを抑えられる。これにより、十分な再生量を確保できることになり、吸着量の低下も防止できる。
【０１４１】
（変形例２）
変形例２は、図９に示すように、実施形態１の調湿装置に冷媒回路を追加した例である。
【０１４２】
冷媒回路には、再生熱交換器(72)、第１熱交換器(73)、第２熱交換器(74)、圧縮機(71)、及び膨張弁（図示せず）が設けられている。この冷媒回路では、充填された冷媒を循環させることによって冷凍サイクルが行われる。また、冷媒回路は、第１熱交換器(73)が蒸発器となる運転と、第２熱交換器(74)が蒸発器となる運転とを切り換え可能に構成されている。
【０１４３】
この変形例において、再生熱交換器(72)は、温水が流れる熱交換器ではなく冷媒が流通する熱交換器であり、中央流路(57)を流れる空気が冷媒回路の冷媒と熱交換することによって加熱される。
【０１４４】
また、排気チャンバ(41)と給気チャンバ(42)の間の空間には、圧縮機(71)が配置されている。
【０１４５】
排気チャンバ(41)には、排気ファン(96)に加えて、第２熱交換器(74)が配置されている。上記第２熱交換器(74)は、加湿運転時には冷媒が流通しており、排気ファン(96)へ向かって流れる被処理空気を冷媒回路の冷媒と熱交換させて冷却する一方、除湿運転時には休止しており、被処理空気を加熱も冷却もしない。
【０１４６】
給気チャンバ(42)には、給気ファン(95)に加えて、第１熱交換器(73)が設置されている。上記第１熱交換器(73)は、除湿運転時には冷媒が流通しており、給気ファン(95)へ向かって流れる被処理空気を冷媒回路の冷媒と熱交換させて冷却する一方、加湿運転時には休止しており、被処理空気を加熱も冷却もしない。
【０１４７】
この変形例２では、除湿運転時において、室外側吸引口(15)からケーシング(10)内に導入された室外空気(OA)は、ケーシング(10)内を図４及び図５と同様に流れる際に吸着素子(81,82)で減湿され、給気チャンバ(42)に流入する。この給気チャンバ(42)に流入した第１空気は、第１熱交換器(73)で冷媒との熱交換によって冷却された後、給気ファン(95)により給気口(14)から室内に供給される。
【０１４８】
一方、室内側吸引口(13)からケーシング(10)内に導入された室内空気(RA)は、ケーシング(10)内を図４及び図５と同様に流れる際に吸着素子(82,81)を再生し、排気チャンバ(41)に流入する。この排気チャンバ(41)に流入した第２空気は、第２熱交換器(74)を通過し、排気ファン(96)により排気口(16)から室外に排出される。その際、第２熱交換器(74)は休止しており、第２空気は加熱も冷却もされない。
【０１４９】
また、加湿運転時において、室外側吸引口(15)からケーシング(10)内に導入された室外空気(OA)は、ケーシング(10)内を図６及び図７と同様に流れる際に吸着素子(81,82)で加湿され、給気チャンバ(42)に流入する。この給気チャンバ(42)に流入した第２空気は、第１熱交換器(73)を通過し、給気ファン(95)により給気口(14)から室内に供給される。
【０１５０】
一方、室内側吸引口(13)からケーシング(10)内に導入された室内空気(RA)は、ケーシング(10)内を図６及び図７と同様に流れる際に吸着素子(82,81)で減湿され、排気チャンバ(41)に流入する。この排気チャンバ(41)に流入した第１空気は、第２熱交換器(74)で冷媒との熱交換によって冷却された後、排気ファン(96)により排気口(16)から室外に排出される。
【０１５１】
この変形例２においても、吸着素子(81,82)の再生時には補助通路(86)を流れる加熱用流体（第２空気）によって吸着素子(81,82)を加熱できる。このことにより、吸着素子(81,82)を高温に保つことができるため、従来よりも水分放出量（再生量）を多くすることが可能となる。したがって、次に第１空気の水分を吸着するときの吸着量も多くすることができるので、装置の性能が向上する。
【０１５２】
また、吸着素子(81,82)の再生時には、図３の上記実施形態１のように、吸着素子(81,82)を再生するための高温の第２空気がすべて加熱用流体として補助通路(86)を流れて該吸着素子(81,82)を加熱した後、調湿通路(85)を流れるようにしてもよいし、図８の上記変形例１のように、調湿通路(85)を通過する前の第２空気の一部が加熱用流体として補助通路(86)を流れて該吸着素子(81,82)を加熱した後、残りの第２空気と合流して調湿通路(85)を流れるようにしてもよい。いずれも場合でも、吸着素子(81,82)の温度が再生時に低下するのを確実に抑え、十分な再生量を確保できる。
【０１５３】
（変形例３）
変形例３は、実施形態１の調湿装置において、図１０（Ａ），（Ｂ）に示すように吸着素子の下面に沿って補助加熱器(78,79)を配置した例である。補助加熱器(78,79)は、再生側のみがオンになって第２空気を加熱するものであり、温水熱交換器や電気ヒータでもよいし、冷媒回路の加熱熱交換器でもよい。
【０１５４】
このように構成すると、再生熱交換器(72)で加熱された第２空気は、全部が加熱用流体として一方の吸着素子(81,82)の補助通路(86)に流入して該吸着素子(81,82)を加熱した後、補助加熱器(78,79)で再度加熱されて調湿通路(85)を流れる。このため、再生時に吸着素子(81,82)の温度が低下するのを防止できるので、十分な再生量を確保できる。
【０１５５】
（変形例４）
また、変形例１の調湿装置において、図１１（Ａ），（Ｂ）に示すように吸着素子(81,82)の下面に沿って補助加熱器(78,79)を配置してもよい。
【０１５６】
このように構成すると、再生熱交換器(72)で加熱された第２空気は、一部が加熱用流体として一方の吸着素子(81,82)の補助通路(86)に流入した後、残りの第２空気と合流し、補助加熱器(78,79)で加熱されて吸着素子(81,82)の調湿通路(85)に流入する。したがって、この場合でも再生時に吸着素子の温度が低下するのを防止できるので、十分な再生量を確保できる。
【０１５７】
《発明の実施形態２》
−調湿装置の構成−
実施形態２に係る調湿装置(2)は、図１２に示すように、実施形態１とは空気通路の構成や一部の機器の配置を変更した例である。具体的には、右側仕切板(20)と左側仕切板(30)の開口(21〜26)(31〜36)の配置を変更することで空気通路が実施形態１と相違するとともに、再生熱交換器(72)の配置も変更している。
【０１５８】
以下、実施形態１との相違点について説明する。
【０１５９】
再生熱交換器(72)は、第１吸着素子(81)と第２吸着素子(82)との間に形成された中央流路(57)に、実施形態１とは違って水平ではなく、ほぼ垂直に立った状態で設置されている。この再生熱交換器(72)は、中央流路(57)を流れる空気が温水と熱交換することによって加熱されるように構成されている。
【０１６０】
上記右側仕切板(20)には、第１右側開口(21)、第２右側開口(22)、第１右上開口(23)、第１右下開口(24)、第２右上開口(25)及び第２右下開口(26)が形成されている。これら開口(21,22,…)は、それぞれが開閉シャッタを備えて開閉自在に構成されている。なお、実施形態１の第３右上開口(27)は形成されていない。
【０１６１】
上記第１右側開口(21)は、右側仕切板(20)における手前側の下部に設けられている。この第１右側開口(21)の開閉シャッタが開いた状態では、第１流路(51)と右下部流路(66)とが互いに連通する。上記第２右側開口(22)は、右側仕切板(20)における奥側の下部に設けられている。この第２右側開口(22)の開閉シャッタが開いた状態では、第２流路(52)と右下部流路(66)とが互いに連通する。上記第１右上開口(23)、第１右下開口(24)、第２右上開口(25)、及び第２右下開口(26)は、それぞれが実施形態１と同様に構成されている。
【０１６２】
上記左側仕切板(30)には、第１左側開口(31)、第２左側開口(32)、第１左上開口(33)、第１左下開口(34)、第２左上開口(35)及び第２左下開口(36)が形成されている。これら開口(31,32,…)は、それぞれが開閉シャッタを備えて開閉自在に構成されている。尚、実施形態１の第３左上開口(37)は形成されていない。
【０１６３】
上記第１左側開口(31)は、左側仕切板(30)における手前側の下部に設けられている。この第１左側開口(31)の開閉シャッタが開いた状態では、第１流路(51)と左下部流路(68)とが互いに連通する。上記第２左側開口(32)は、左側仕切板(30)における奥側の下部に設けられている。この第２左側開口(32)の開閉シャッタが開いた状態では、第２流路(52)と左下部流路(68)とが互いに連通する。上記第１左上開口(33)、第１左下開口(34)、第２左上開口(35)、及び第２左下開口(36)は、それぞれが実施形態１と同様に構成されている。
【０１６４】
また、その他の部分で実施形態１と同一の符号を付した部分は実施形態１と同様に構成されている。したがって、装置構成については、ここでは説明を省略する。
【０１６５】
−運転動作−
次に、上述した調湿装置（1）の運転動作について説明する。この調湿装置（1）は、第１の被処理空気である第１空気と第２の被処理空気である第２空気とを取り込み、除湿運転と加湿運転とを切り換えて行う。また、上記調湿装置（1）は、第１動作と第２動作とを交互に繰り返すことにより、除湿運転や加湿運転を連続的に行う。
【０１６６】
まず、図１３を参照して除湿運転時の動作を簡単に説明する。
【０１６７】
図１３（Ａ）は第１動作の空気の流れを示し、図１３（Ｂ）は第２動作の空気の流れを示している。第１動作では、第１空気は第１吸着素子(81)の調湿通路(85)を通過して減湿され、室内に供給される。一方、第２空気は、第１吸着素子(81)の補助通路を通過する際に第１空気の吸着熱を吸熱した後、再生熱交換器(72)で加熱され、さらに第２吸着素子(82)の補助通路(86)を通過して該吸着素子(82)を加熱した後、第２吸着素子(82)の調湿通路を通過して該第２吸着素子(82)を再生する。第２動作では、第１空気が第２吸着素子(82)で減湿され、第２空気で第１吸着素子(81)を再生する。そして、吸着素子(81,82)に水分を与えて減湿された第１空気が室内に供給され、吸着素子(82,81)から水分を奪って該吸着素子(82,81)を再生した第２空気が室外に排出される。
【０１６８】
加湿運転時は、吸着素子(81,82)から水分を奪って加湿された第２空気が室内に供給され、吸着素子(82,81)に水分を与えた第１空気が室外に排出される。
【０１６９】
なお、図１３（Ａ），（Ｂ）では各吸着素子(81,82)の調湿通路(85)を第１空気と第２空気が同じ向きに流れる例を示しているが、破線で示すように第１空気と第２空気が調湿通路(85)を逆向きに流れるように（対向流に）してもよい。
【０１７０】
〈除湿運転〉
図１４，図１５に示すように、この除湿運転では、給気ファン(95)を駆動すると、室外空気(OA)が第１空気として室外側吸込口(15)を通じてケーシング(10)内の右下部流路(66)に取り込まれる。一方、上記排気ファン(96)を駆動すると、室内空気(RA)が第２空気として室内側吸込口(13)を通じてケーシング(10)内の左下部流路(68)に取り込まれる。
【０１７１】
また、この除湿運転時において、再生熱交換器(72)には温水が流れ、該再生熱交換器(72)を通過する空気に温水の温熱が与えられる。
【０１７２】
（第１動作）
図１３（Ａ）及び図１４に示すように、この第１動作では、第１吸着素子(81)での吸着動作と、第２吸着素子(82)での再生動作とが行われる。つまり、上記第１動作では、第１吸着素子(81)で空気が減湿され、第２吸着素子(82)の吸着剤が再生される。
【０１７３】
図１４に示すように、上記右側仕切板(20)では、第１右下開口(24)及び第２右上開口(25)が開いた状態になり、残りの開口(21,22,23,26)が閉じた状態になっている。この状態では、第１右下開口(24)によって右下部流路(66)と第１下部流路(54)とが連通し、第２右上開口(25)によって第２上部流路(55)と右上部流路(65)とが連通している。
【０１７４】
上記左側仕切板(30)では、第１左側開口(31)及び第１左上開口(33)が開いた状態になり、残りの開口(32,34,35,36)が閉じた状態になっている。この状態では、第１左側開口(31)によって左下部流路(68)と第１流路(51)とが連通し、第１左上開口(33)によって第１上部流路(53)と左上部流路(67)とが連通している。
【０１７５】
上記内側第１シャッタ(61)、内側第２シャッタ(62)、及び外側第１シャッタ(63)は、閉鎖状態となり、外側第２シャッタ(64)は開口状態となっている。この状態では、第２流路(52)と第２下部流路(56)とが外側第２シャッタ(64)を介して連通している。
【０１７６】
上記右下部流路(66)に取り込まれた第１空気は、第１右下開口(24)から第１下部流路(54)に流入する。一方、上記左下部流路(68)に取り込まれた第２空気は、第１左側開口(31)から第１流路(51)に流入する。
【０１７７】
図１３（Ａ）にも示すように、上記第１下部流路(54)に流入した第１空気は、第１吸着素子(81)の調湿通路(85)に流入する。この調湿通路(85)を流れる間に、第１空気に含まれる水蒸気が第１吸着素子(81)の吸着剤に吸着される。この第１吸着素子(81)で減湿された第１空気は、第１上部流路(53)に流入する。
【０１７８】
一方、上記第１流路(51)に流入した第２空気は、第１吸着素子(81)の補助通路(86)に流入する。この第２空気は、補助通路(86)を流れる間に、調湿通路(85)で水蒸気が吸着剤に吸着される際に生じた吸着熱を吸熱する。この吸着熱を奪った第２空気は、中央流路(57)に流入して再生熱交換器(72)を通過する。その際、上記再生熱交換器(72)では、第２空気が温水との熱交換によって加熱される。
【０１７９】
上記第１吸着素子(81)及び再生熱交換器(72)で加熱された第２空気は、中央流路(57)から第２吸着素子(82)の補助通路(86)に導入される。その後、第２空気は、第２流路(52)へ流入した後、さらに外側第２シャッタ(64)の開口を通って第２下部流路(56)へ流入し、第２吸着素子(82)の調湿通路(85)に導入される。この調湿通路(85)では、第２空気によって吸着剤が加熱され、吸着剤から水蒸気が脱着する。つまり、上記第２吸着素子(82)の吸着剤が再生される。上記吸着剤から脱着した水蒸気は、第２空気と共に第２上部流路(55)に流入する。
【０１８０】
上記第１上部流路(53)に流入した減湿後の第１空気は、第１左上開口(33)から左上部流路(67)に流入し、その後、給気チャンバ(42)に流入する。この給気チャンバ(42)に流入した第１空気は、給気ファン(95)により給気口(14)から室内に供給される。
【０１８１】
一方、上記第２上部流路(55)に流入した第２空気は、第２右上開口(25)から右上部流路(65)に流入し、その後、排気チャンバ(41)に流入する。この排気チャンバ(41)に流入した第２空気は、排気ファン(96)により排気口(16)から室外に排出される。
【０１８２】
（第２動作）
図１３（Ｂ）及び図１５に示すように、この第２動作では、第１動作とは逆に、第２吸着素子(82)での吸着動作と、第１吸着素子(81)での再生動作とが行われる。つまり、上記第２動作では、第２吸着素子(82)で空気が減湿されると同時に、第１吸着素子(81)の吸着剤が再生される。
【０１８３】
図１５に示すように、上記右側仕切板(20)では、第１右上開口(23)及び第２右下開口(26)が開いた状態に、残りの開口(21,22,24,25)が閉じた状態になっている。この状態では、第１右上開口(23)によって第１上部流路(53)と右上部流路(65)とが連通し、第２右下開口(26)によって右下部流路(66)と第２下部流路(56)とが連通している。
【０１８４】
上記左側仕切板(30)では、第２左側開口(32)及び第２左上開口(35)が開いた状態に、残りの開口(31,33,34,36)が閉じた状態になっている。この状態では、第２左側開口(32)によって左下部流路(68)と第２流路(52)とが連通し、第２左上開口(35)によって第２上部流路(55)と左上部流路(67)とが連通している。
【０１８５】
上記内側第１シャッタ(61)、内側第２シャッタ(62)、及び外側第２シャッタ(64)は、閉鎖状態となり、外側第１シャッタ(63)は、開口状態となっている。この状態では、第１流路(51)と第１下部流路(54)とが外側第１シャッタ(63)を介して連通している。
【０１８６】
上記右下部流路(66)に取り込まれた第１空気は、第２右下開口(26)から第２下部流路(56)に流入する。一方、上記左下部流路(68)に取り込まれた第２空気は、第２左側開口(32)から第２流路(52)に流入する。
【０１８７】
図１３（Ｂ）にも示すように、上記第２下部流路(56)に流入した第１空気は、第２吸着素子(82)の調湿通路(85)に流入する。この調湿通路(85)を流れる間に、第１空気に含まれる水蒸気が第２吸着素子(82)の吸着剤に吸着される。この第２吸着素子(82)で減湿された第１空気は、第２上部流路(55)に流入する。
【０１８８】
一方、上記第２流路(52)に流入した第２空気は、第２吸着素子(82)の補助通路(86)に流入する。この第２空気は、補助通路(86)を流れる間に、調湿通路(85)で水蒸気が吸着剤に吸着される際に生じた吸着熱を吸熱する。この吸着熱を奪った第２空気は、中央流路(57)に流入して再生熱交換器(72)を通過する。その際、上記再生熱交換器(72)では、第２空気が温水との熱交換によって加熱される。
【０１８９】
上記第２吸着素子(82)及び再生熱交換器(72)で加熱された第２空気は、中央流路(57)から第１吸着素子(81)の補助通路(86)に導入される。その後、第２空気は、第１流路(51)へ流入した後、さらに外側第１シャッタ(63)の開口を通って第１下部流路(54)へ流入し、第１吸着素子(81)の調湿通路(85)に導入される。この調湿通路(85)では、第２空気によって吸着剤が加熱され、吸着剤から水蒸気が脱着する。つまり、上記第１吸着素子(81)の吸着剤が再生される。上記吸着剤から脱着した水蒸気は、第２空気と共に第１上部流路(53)に流入する。
【０１９０】
上記第２上部流路(55)に流入した減湿後の第１空気は、第２左上開口(35)から左上部流路(67)に流入し、その後、給気チャンバ(42)に流入する。この給気チャンバ(42)に流入した第１空気は、給気ファン(95)により給気口(14)から室内に供給される。
【０１９１】
一方、上記第１上部流路(53)に流入した第２空気は、第１右上開口(23)から右上部流路(65)に流入し、その後、排気チャンバ(41)に流入する。この排気チャンバ(41)に流入した第２空気は、排気ファン(96)により排気口(16)から室外に排出される。
【０１９２】
〈加湿運転〉
図１３（Ａ）及び図１６に示すように、この加湿運転では、給気ファン(95)を駆動すると、室外空気(OA)が第２空気として室外側吸込口(15)を通じてケーシング(10)内の右下部流路(66)に取り込まれる。一方、上記排気ファン(96)を駆動すると、室内空気(RA)が第１空気として室内側吸込口(13)を通じてケーシング(10)内の左下部流路(68)に取り込まれる。
【０１９３】
また、この加湿運転時において、再生熱交換器(72)には温水が流れ、該再生熱交換器(72)を通過する空気に温水の温熱が与えられる。
【０１９４】
（第１動作）
図１３（Ａ）及び図１６に示すように、この第１動作では、第１吸着素子(81)での吸着動作と、第２吸着素子(82)での再生動作とが行われる。つまり、上記第１動作では、第２吸着素子(82)で空気が加湿され、第１吸着素子(81)で水蒸気が吸着剤に吸着される。
【０１９５】
図１６に示すように、上記右側仕切板(20)では、第１右側開口(21)及び第１右上開口(23)が開いた状態に、残りの開口(22,24,25,26)が閉じた状態になっている。この状態では、第１右側開口(21)によって右下部流路(66)と第１流路(51)とが連通し、第１右上開口(23)によって第１上部流路(53)と右上部流路(65)とが連通している。
【０１９６】
上記左側仕切板(30)では、第１左下開口(34)及び第２左上開口(35)が開いた状態に、残りの開口(31,32,33,36)が閉じた状態になっている。この状態では、第１左下開口(34)によって左下部流路(68)と第１下部流路(54)とが連通し、第２左上開口(35)によって第２上部流路(55)と左上部流路(67)とが連通している。
【０１９７】
上記内側第１シャッタ(61)、内側第２シャッタ(62)、及び外側第１シャッタ(63)は、閉鎖状態となり、外側第２シャッタ(64)は開口状態となっている。この状態では、第２流路(52)と第２下部流路(56)とが外側第２シャッタ(64)を介して連通している。
【０１９８】
上記左下部流路(68)に取り込まれた第１空気は、第１左下開口(34)から第１下部流路(54)に流入する。一方、上記右下部流路(66)に取り込まれた第２空気は、第１右側開口(21)から第１流路(51)に流入する。
【０１９９】
図１３（Ａ）にも示すように、上記第１下部流路(54)に流入した第１空気は、第１吸着素子(81)の調湿通路(85)に流入する。この調湿通路(85)を流れる間に、第１空気に含まれる水蒸気が第１吸着素子(81)の吸着剤に吸着される。この第１吸着素子(81)で水分を奪われた第１空気は、第１上部流路(53)に流入する。
【０２００】
一方、上記第１流路(51)に流入した第２空気は、第１吸着素子(81)の補助通路(86)に流入する。この第２空気は、補助通路(86)を流れる間に、調湿通路(85)で水蒸気が吸着剤に吸着される際に生じた吸着熱を吸熱する。この吸着熱を奪った第２空気は、中央流路(57)に流入して再生熱交換器(72)を通過する。その際、上記再生熱交換器(72)では、第２空気が温水との熱交換によって加熱される。
【０２０１】
上記第１吸着素子(81)及び再生熱交換器(72)で加熱された第２空気は、中央流路(57)から第２吸着素子(82)の補助通路(86)に導入される。その後、第２空気は、第２流路(52)へ流入した後、さらに外側第２シャッタ(64)の開口を通って第２下部流路(56)へ流入し、第２吸着素子(82)の調湿通路(85)に導入される。この調湿通路(85)では、第２空気によって吸着剤が加熱され、吸着剤から水蒸気が脱着する。つまり、上記第２吸着素子(82)の吸着剤が再生される。そして、上記吸着剤から脱着した水蒸気が第２空気に付与され、第２空気が加湿される。上記吸着剤から脱着した水蒸気は、第２空気と共に第２上部流路(55)に流入する。
【０２０２】
上記第１上部流路(53)に流入した減湿後の第１空気は、第１右側開口(23)から右上部流路(65)に流入し、その後、排気チャンバ(41)に流入する。この排気チャンバ(41)に流入した第１空気は、排気ファン(96)により排気口(16)から室外に排出される。
【０２０３】
一方、上記第２上部流路(55)に流入した第２空気は、第２左上開口(35)から左上部流路(67)に流入し、その後、給気チャンバ(42)に流入する。この給気チャンバ(42)に流入した第２空気は、給気ファン(95)により給気口(14)から室内に供給される。
【０２０４】
（第２動作）
図１３（Ｂ）及び図１７に示すように、この第２動作では、第１動作とは逆に、第２吸着素子(82)での吸着動作と、第１吸着素子(81)での再生動作とが行われる。つまり、上記第２動作では、第１吸着素子(81)で空気が加湿され、第２吸着素子(82)で水蒸気が吸着剤に吸着される。
【０２０５】
図１７に示すように、上記右側仕切板(20)では、第２右側開口(22)及び第２右上開口(25)が開いた状態に、残りの開口(21,23,24,26)が閉じた状態になっている。この状態では、第２右側開口(22)によって右下部流路(66)と第２流路(52)とが連通し、第２右上開口(25)によって第２上部流路(55)と右上部流路(65)とが連通している。
【０２０６】
上記左側仕切板(30)では、第１左上開口(33)及び第２左下開口(36)が開いた状態に、残りの開口(31,32,34,35)が閉じた状態になっている。この状態では、第１左上開口(33)によって第１上部流路(53)と左上部流路(67)とが連通し、第２左下開口(36)によって左下部流路(68)と第２下部流路(56)とが連通している。
【０２０７】
上記内側第１シャッタ(61)、内側第２シャッタ(62)、及び外側第２シャッタ(64)は、閉鎖状態となり、外側第１シャッタ(63)は、開口状態となっている。この状態では、第１流路(51)と第１下部流路(54)とが外側第１シャッタ(63)を介して連通している。
【０２０８】
上記左下部流路(68)に取り込まれた第１空気は、第２左下開口(36)から第２下部流路(56)に流入する。一方、上記右下部流路(66)に取り込まれた第２空気は、第２右側開口(22)から第２流路(52)に流入する。
【０２０９】
図１３（Ｂ）にも示すように、上記第２下部流路(56)に流入した第１空気は、第２吸着素子(82)の調湿通路(85)に流入する。この調湿通路(85)を流れる間に、第１空気に含まれる水蒸気が第２吸着素子(82)の吸着剤に吸着される。この第２吸着素子(82)で水分を奪われた第１空気は、第２上部流路(55)に流入する。
【０２１０】
一方、上記第２流路(52)に流入した第２空気は、第２吸着素子(82)の補助通路(86)に流入する。この第２空気は、補助通路(86)を流れる間に、調湿通路(85)で水蒸気が吸着剤に吸着される際に生じた吸着熱を吸熱する。この吸着熱を奪った第２空気は、中央流路(57)に流入して再生熱交換器(72)を通過する。その際、上記再生熱交換器(72)では、第２空気が温水との熱交換によって加熱される。
【０２１１】
上記第２吸着素子(82)及び再生熱交換器(72)で加熱された第２空気は、中央流路(57)から第１吸着素子(81)の補助通路(86)に導入される。その後、第２空気は、第１流路(51)へ流入した後、さらに外側第１シャッタ(63)の開口を通って第１下部流路(54)へ流入し、第１吸着素子(81)の調湿通路(85)に導入される。この調湿通路(85)では、第２空気によって吸着剤が加熱され、吸着剤から水蒸気が脱着する。つまり、上記第１吸着素子(81)の吸着剤が再生される。そして、上記吸着剤から脱着した水蒸気が第２空気に付与され、第２空気が加湿される。上記吸着剤から脱着した水蒸気は、第２空気と共に第１上部流路(53)に流入する。
【０２１２】
上記第２上部流路(55)に流入した減湿後の第１空気は、第２右側開口(25)から右上部流路(65)に流入し、その後、給気チャンバ(42)に流入する。この給気チャンバ(42)に流入した第１空気は、給気ファン(95)により給気口(14)から室内に供給される。
【０２１３】
一方、上記第１上部流路(53)に流入した第２空気は、第１左上開口(33)から左上部流路(67)に流入し、その後、排気チャンバ(41)に流入する。この排気チャンバ(41)に流入した第２空気は、排気ファン(96)により排気口(16)から室外に排出される。
【０２１４】
−実施形態２の効果−
以上説明したように、この実施形態２によれば、実施形態１と同様に、各吸着素子(81,82)に、該吸着素子(81,82)を再生するときに加熱用流体が流れる補助通路(86)を設けているため、吸着素子(81,82)の再生時には補助通路(86)を流れる加熱用流体によって吸着素子(81,82)を加熱できる（加熱再生動作）。このことにより、吸着素子(81,82)を高温に保つことができるため、従来よりも水分放出量（再生量）を多くすることが可能となる。したがって、次に第１空気の水分を吸着するときの吸着量も多くすることができるので、装置の性能が向上する。
【０２１５】
また、吸着素子(81,82)の吸着時には、補助通路(86)を流れる冷却用流体（第２空気）によって吸着素子(81,82)を冷却できる（冷却吸着動作）。このことにより、吸着時の温度上昇を抑え、吸着性能を高められる。
【０２１６】
さらに、第１吸着素子(81)と第２吸着素子(82)を備えた調湿装置(2)においてバッチ式の運転動作を行うときに、一方の吸着素子(81,82)で冷却吸着動作を行いながら、他方の吸着素子(82,81)で加熱再生動作を行うようにしているため、吸着性能と再生性能の両方を高めることが可能となり、トータルの性能が向上する。
【０２１７】
−実施形態２の変形例−
（変形例１）
変形例１は、実施形態２と同じ構造の調湿装置において、第１動作と第２動作の空気の流れを変更した例である。この例では、内側第１シャッタ(61)及び内側第２シャッタ(62)を開閉する操作を行う。
【０２１８】
図１８を参照して除湿運転時の動作を簡単に説明する。
【０２１９】
図１８（Ａ）は第１動作の空気の流れを示し、図１８（Ｂ）は第２動作の空気の流れを示している。第１動作では、第１空気は第１吸着素子(81)の調湿通路(85)を通過して減湿され、室内に供給される。一方、第２空気は、第１吸着素子(81)の補助通路を通過する際に第１空気の吸着熱を吸熱してから、再生熱交換器(72)で加熱された後に２つに分流し、一部が第２吸着素子(82)の補助通路(86)を通過して該吸着素子(82)を加熱するとともに、その後に残りの第２空気と合流して第２吸着素子(82)の調湿通路(85)を通過し、該第２吸着素子(82)を再生する。第２動作では、第１空気が第２吸着素子(82)で減湿され、第２空気が第１吸着素子(81)を再生するときに、第２空気の一部が補助通路(86)を通過した後に第２空気の残りと合流して調湿通路(85)に流入する。そして、吸着素子(81,82)に水分を与えて減湿された第１空気が室内に供給され、吸着素子(82,81)から水分を奪って該吸着素子(82,81)を再生した第２空気が室外に排出される。
【０２２０】
図１２〜図１７に示した例では、内側第１シャッタ(61)及び内側第２シャッタ(62)をいずれも閉鎖した状態にしていたが、この図１８の動作を行う場合は、外側第１シャッタ(63)を開くときに同時に内側第１シャッタ(61)を開き、外側第２シャッタ(64)を開くときに同時に内側第２シャッタ(62)を開く操作を行う。こうすることにより、再生熱交換器(72)を通過した空気の一部が吸着素子(81,82)の補助通路(86)を通過した後、残りの空気と合流して調湿通路(85)に流入する。
【０２２１】
なお、加湿運転時は、吸着素子(81,82)から水分を奪って加湿された第２空気が室内に供給され、吸着素子(82,81)に水分を与えた第１空気が室外に排出される。
【０２２２】
また、図１８（Ａ），（Ｂ）では各吸着素子(81,82)の調湿通路(85)を第１空気と第２空気が同じ向きに流れる例を示しているが、破線で示すように第１空気と第２空気が調湿通路(85)を逆向きに流れるようにしてもよい。
【０２２３】
この変形例１では、吸着素子の再生時に、調湿通路(85)を通過する前の第２空気の一部が加熱用流体として補助通路(86)に流入する。第２空気は吸着素子(81,82)を再生するための空気であり、高温であるため、この第２空気の一部が補助通路(86)を流れて吸着素子(81,82)を加熱しながら残りの第２空気が調湿通路(85)を流れることで、吸着素子(81,82)の温度が再生時に低下するのを抑えられる。これにより、十分な再生量を確保できることになり、吸着量の低下も防止できる。
【０２２４】
また、この変形例でも、第１吸着素子(81)と第２吸着素子(82)を備えた調湿装置(2)においてバッチ式の運転動作を行うときに、一方の吸着素子(81,82)で冷却吸着動作を行いながら、他方の吸着素子(82,81)で加熱再生動作を行うようにしているので、吸着性能と再生性能の両方を高めることでトータルの性能が向上する。
【０２２５】
（変形例２）
変形例２は、図１９に示すように、実施形態２の調湿装置に冷媒回路を追加した例である。
【０２２６】
冷媒回路には、再生熱交換器(72)、第１熱交換器(73)、第２熱交換器(74)、圧縮機(71)、及び膨張弁（図示せず）が設けられている。この冷媒回路では、充填された冷媒を循環させることによって冷凍サイクルが行われる。また、冷媒回路は、第１熱交換器(73)が蒸発器となる運転と、第２熱交換器(74)が蒸発器となる運転とを切り換え可能に構成されている。
【０２２７】
この変形例において、再生熱交換器(72)は、温水が流れる熱交換器ではなく冷媒が流通する熱交換器であり、中央流路(57)を流れる空気が冷媒回路の冷媒と熱交換することによって加熱される。
【０２２８】
また、排気チャンバ(41)と給気チャンバ(42)の間の空間には、圧縮機(71)が配置されている。
【０２２９】
排気チャンバ(41)には、排気ファン(96)に加えて、第２熱交換器(74)が配置されている。上記第２熱交換器(74)は、加湿運転時には冷媒が流通しており、排気ファン(96)へ向かって流れる被処理空気を冷媒回路の冷媒と熱交換させて冷却する一方、除湿運転時には休止しており、被処理空気を加熱も冷却もしない。
【０２３０】
給気チャンバ(42)には、給気ファン(95)に加えて、第１熱交換器(73)が設置されている。上記第１熱交換器(73)は、除湿運転時には冷媒が流通しており、給気ファン(95)へ向かって流れる被処理空気を冷媒回路の冷媒と熱交換させて冷却する一方、加湿運転時には休止しており、被処理空気を加熱も冷却もしない。
【０２３１】
この変形例２では、除湿運転時において、室外側吸引口(15)からケーシング(10)内に導入された室外空気(OA)は、ケーシング(10)内を図１４及び図１５と同様に流れる際に吸着素子(81,82)で減湿され、給気チャンバ(42)に流入する。この給気チャンバ(42)に流入した第１空気は、第１熱交換器(73)で冷媒との熱交換によって冷却された後、給気ファン(95)により給気口(14)から室内に供給される。
【０２３２】
一方、室内側吸引口(13)からケーシング(10)内に導入された室内空気(RA)は、ケーシング(10)内を図１４及び図１５と同様に流れる際に吸着素子(82,81)を再生し、排気チャンバに流入する。この排気チャンバ(41)に流入した第２空気は、第２熱交換器(74)を通過し、排気ファン(96)により排気口(16)から室外に排出される。その際、第２熱交換器(74)は休止しており、第２空気は加熱も冷却もされない。
【０２３３】
また、加湿運転時において、室外側吸引口(15)からケーシング(10)内に導入された室外空気(OA)は、ケーシング(10)内を図１６及び図１７と同様に流れる際に吸着素子(81,82)で加湿され、給気チャンバ(42)に流入する。この給気チャンバ(42)に流入した第２空気は、第１熱交換器(73)を通過し、給気ファン(95)により給気口(14)から室内に供給される。
【０２３４】
一方、室内側吸引口(13)からケーシング(10)内に導入された室内空気(RA)は、ケーシング(10)内を図１６及び図１７と同様に流れる際に吸着素子(82,81)で減湿され、排気チャンバ(41)に流入する。この排気チャンバ(41)に流入した第１空気は、第２熱交換器(74)で冷媒との熱交換によって冷却された後、排気ファン(96)により排気口(16)から室外に排出される。
【０２３５】
この変形例２においても、吸着素子(81,82)の再生時には補助通路(86)を流れる加熱用流体（第２空気）によって吸着素子(81,82)を加熱できる。このことにより、吸着素子(81,82)を高温に保つことができるため、従来よりも水分放出量（再生量）を多くすることが可能となる。したがって、次に第１空気の水分を吸着するときの吸着量も多くすることができるので、装置の性能が向上する。
【０２３６】
また、吸着素子(81,82)の再生時には、図１３の上記実施形態２のように、吸着素子(81,82)を再生するための高温の第２空気がすべて加熱用流体として補助通路(86)を流れて該吸着素子(81,82)を加熱した後、調湿通路(85)を流れるようにしてもよいし、図１８の上記変形例１のように、調湿通路(85)を通過する前の第２空気の一部が加熱用流体として補助通路(86)を流れて該吸着素子(81,82)を加熱した後、残りの第２空気と合流して調湿通路(85)を流れるようにしてもよい。いずれも場合でも、吸着素子(81,82)の温度が再生時に低下するのを確実に抑え、十分な再生量を確保できる。
【０２３７】
《発明の実施形態３》
−調湿装置の構成−
図２０に示すように、実施形態３に係る調湿装置(3)は、やや扁平な直方体状のケーシング(100)と、室外空気を吸い込む室外側吸込口(115)と、室内に空気を吹き出す給気口(114)と、室内空気を吸い込む室内側吸込口(113)と、室外に空気を吹き出す排気口(116)とを備えている。
【０２３８】
図２１に示すように、ケーシング(100)内には、第１吸着素子(81)及び第２吸着素子(82)が収納されている。第１吸着素子(81)及び第２吸着素子(82)は、実施形態１，２と同様に、図２に示すように構成されている。また、ケーシング(100)内には、再生熱交換器(72)、第１補助熱交換器(78)及び第２補助熱交換器(79)が設けられている。これらの熱交換器(72,78,79)は後述の冷媒回路に設けられ、内部に冷媒が流通するように構成されている。
【０２３９】
図２１に示すように、ケーシング(100)において、最も手前側には室外側パネル(111)が設けられ、最も奥側には室内側パネル(112)が設けられている。室外側吸込口(115)は室外側パネル(111)の左端寄りに設けられ、排気口(116)は室外側パネル(111)の右端寄りに設けられている。給気口(114)は室内側パネル(112)の左端寄りに設けられ、室内側吸込口(113)は室内側パネル(112)の右端寄りに設けられている。
【０２４０】
ケーシング(100)の内部には、手前側から奥側へ向かって順に、第１仕切板(120)と、第２仕切板(130)と、第３仕切板(140)と、第４仕切板(150)とが設けられている。ケーシング(100)の内部空間は、これら仕切板(120,130,140,150)によって前後に仕切られている。
【０２４１】
室外側パネル(111)と第１仕切板(120)との間の空間は、室外側上側空間(161)と室外側下側空間(162)とに区画されている。室外側上側空間(161)は、排気口(116)を通じて室外空間と連通されている。室外側下側空間(162)は、室外側吸込口(115)を通じて室外空間と連通されている。室外側上側空間(161)の右端寄りには、排気ファン(96)が設置されている。
【０２４２】
第１仕切板(120)と第２仕切板(130)との間の空間は、左側から右側に向かって順に、左端空間(171)と、左側中央空間(172)と、右側中央空間(173)と、右端空間(174)とに区画されている。
【０２４３】
第１仕切板(120)には、右側開口(121)、左側開口(122)、右上開口(123)、右下開口(124)、左上開口(125)、及び左下開口(126)が形成されている。これらの開口(121〜126)は、それぞれが開閉シャッタを備えて開閉自在に構成されている。
【０２４４】
左上開口(125)は、室外側上側空間(161)と左側中央空間(172)とを連通させている。右上開口(123)は、室外側上側空間(161)と右側中央空間(173)とを連通させている。左側開口(122)は、室外側下側空間(162)と左端空間(171)とを連通させている。左下開口(126)は、室外側下側空間(162)と左側中央空間(172)とを連通させている。右下開口(124)は、室外側下側空間(162)と右側中央空間(173)とを連通させている。右側開口(121)は、室外側下側空間(162)と右端空間(174)とを連通させている。
【０２４５】
第２仕切板(130)にも、右側開口(131)、左側開口(132)、右上開口(133)、右下開口(134)、左上開口(135)、及び左下開口(136)が形成されている。左上開口(135)、左下開口(136)、右上開口(133)及び右下開口(134)は、それぞれが開閉シャッタを備えて開閉自在に構成されている。
【０２４６】
第２仕切板(130)と第３仕切板(140)との間には、第１吸着素子(81)及び第２吸着素子(82)が設置されている。これら吸着素子(81,82)は、所定の間隔をおいて左右に並んだ状態に配置されている。具体的には、右寄りに第１吸着素子(81)が設けられ、左寄りに第２吸着素子(82)が設けられている。
【０２４７】
第１吸着素子(81)及び第２吸着素子(82)は、それぞれにおける平板部材(83)及び波板部材(84)の積層方向がケーシング(100)の長手方向（図２０，図２１における手前から奥に向かう方向）と一致すると共に、それぞれにおける平板部材(83)等の積層方向が互いに平行となる姿勢で設置されている。さらに、各吸着素子(81,82)は、左右の側面がケーシング(100)の側板と、上下面がケーシング(100)の天板や底板と、前後の端面が室外側パネル(111)や室内側パネル(112)とそれぞれ略平行になる姿勢で配置されている。
【０２４８】
第１吸着素子(81)の下面には、第１補助熱交換器(78)が設けられている。第２吸着素子(82)の下面には、第２補助熱交換器(79)が設けられている。第１補助熱交換器(78)及び第２熱交換器は、いわゆるクロスフィン型のフィン・アンド・チューブ熱交換器であって、第１空気を冷却する冷却器になる一方、第２空気を加熱する補助加熱器になるように構成されている。
【０２４９】
ケーシング(100)内に設置された各吸着素子(81,82)では、その左右の側面に補助通路(86)が開口している。つまり、第１吸着素子(81)において補助通路(86)に開口する１つの側面と、第２吸着素子(82)において補助通路(86)に開口する１つの側面とは、互いに向かい合っている。
【０２５０】
第２仕切板(130)と第３仕切板(140)との間の空間は、右側流路(181)、左側流路(182)、右上流路(183)、右下流路(184)、左上流路(185)、左下流路(186)、及び中央流路(187)に区画されている。
【０２５１】
右側流路(181)は、第１吸着素子(81)の右側に形成され、第１吸着素子(81)の補助通路(86)に連通している。左側流路(182)は、第２吸着素子(82)の左側に形成され、第２吸着素子(82)の補助通路(86)に連通している。
【０２５２】
右上流路(183)は、第１吸着素子(81)の上側に形成され、第１吸着素子(81)の調湿通路(85)に連通している。右下流路(184)は、第１吸着素子(81)の下側（厳密には、第１補助熱交換器(78)の下側）に形成され、第１吸着素子(81)の調湿通路(85)に連通している。左上流路(185)は、第２吸着素子(82)の上側に形成され、第２吸着素子(82)の調湿通路(85)に連通している。左下流路(186)は、第２吸着素子(82)の下側（厳密には、第２補助熱交換器(79)の下側）に形成され、第２吸着素子(82)の調湿通路(85)と連通している。
【０２５３】
中央流路(187)は、第１吸着素子(81)と第２吸着素子(82)との間に形成され、両吸着素子(81,82)の補助通路(86)に連通している。この中央流路(187)は、図２０に現れる流路断面の形状が八角形状となっている。
【０２５４】
第２仕切板(130)の左側開口(132)は、左端空間(171)と左側流路(182)とを連通させている。右側開口(131)は、右端空間(174)と右側流路(181)とを連通させている。左上開口(135)は、左側中央空間(172)と左上流路(185)とを連通させている。左下開口(136)は、左側中央空間(172)と左下流路(186)とを連通させている。右上開口(133)は、右側中央空間(173)と右上流路(183)とを連通させている。右下開口(134)は、右側中央空間(173)と右下流路(184)とを連通させている。
【０２５５】
再生熱交換器(72)は、いわゆるクロスフィン型のフィン・アンド・チューブ熱交換器であって、中央流路(187)を流れる空気を加熱するように構成されている。この再生熱交換器(72)は、中央流路(187)に配置されている。つまり、再生熱交換器(72)は、左右に並んだ第１吸着素子(81)と第２吸着素子(82)との間に設置されている。さらに、再生熱交換器(72)は、ほぼ垂直に立てられた状態で、中央流路(187)を左右に仕切るように設けられている。
【０２５６】
第１吸着素子(81)と再生熱交換器(72)との間には、中央流路(187)における再生熱交換器(72)の右側部分と右上流路(183)とを仕切る右側仕切板(191)が設けられている。一方、第２吸着素子(82)と再生熱交換器(72)との間には、中央流路(187)における再生熱交換器(72)の左側部分と左上流路(185)とを仕切る左側仕切板(192)が設けられている。
【０２５７】
また、右側流路(181)と右下流路(184)との間は、右下シャッタ(193)により開閉可能になっている。左側流路(182)と左下流路(186)との間は、左下シャッタ(194)により開閉可能になっている。
【０２５８】
第３仕切板(140)は、第２仕切板(130)と同様の構成を有している。第３仕切板(140)にも、右側開口(141)、左側開口(142)、右上開口(143)、右下開口(144)、左上開口(145)、及び左下開口(146)が形成されている。左上開口(145)、左下開口(146)、右上開口(143)及び右下開口(144)は、それぞれが開閉シャッタを備えて開閉自在に構成されている。
【０２５９】
第３仕切板(140)と第４仕切板(150)との間の空間は、左側から右側に向かって順に、左端空間(176)と、左側中央空間(177)と、右側中央空間(178)と、右端空間(179)とに区画されている。
【０２６０】
左側開口(142)は、左側流路(182)と左端空間(176)とを連通させている。右側開口(141)は、右側流路(181)と右端空間(179)とを連通させている。左上開口(145)は、左上流路(185)と左側中央空間(177)とを連通させている。左下開口(146)は、左下流路(186)と左側中央空間(177)とを連通させている。右上開口(143)は、右上流路(183)と右側中央空間(178)とを連通させている。右下開口(144)は、右下流路(184)と右側中央空間(178)とを連通させている。
【０２６１】
第４仕切板(150)と室内側パネル(112)との間の空間は、室内側上側空間(166)と室内側下側空間(167)とに区画されている。室内側上側空間(166)は、給気口(114)を通じて室内空間と連通されている。室内側下側空間(167)は、室内側吸込口(113)を通じて室内空間と連通されている。室内側上側空間(166)の左端寄りには、給気ファン(95)が設置されている。
【０２６２】
第４仕切板(150)は、第１仕切板(120)と同様の構成を有している。第４仕切板(150)にも、右側開口(151)、左側開口(152)、右上開口(153)、右下開口(154)、左上開口(155)、及び左下開口(156)が形成されている。これらの開口(151〜156)は、それぞれが開閉シャッタを備えて開閉自在に構成されている。
【０２６３】
左側開口(152)は、左端空間(176)と室内側下側空間(167)とを連通させている。左下開口(156)は、左側中央空間(177)と室内側下側空間(167)とを連通させている。右下開口(154)は、右側中央空間(178)と室内側下側空間(167)とを連通させている。右側開口(151)は、右端空間(179)と室内側下側空間(167)とを連通させている。左上開口(155)は、左側中央空間(177)と室内側上側空間(166)とを連通させている。右上開口(153)は、右側中央空間(178)と室内側上側空間(166)とを連通させている。
【０２６４】
−冷媒回路の構成−
冷媒回路(70)は、図２３に示すように構成されている。
【０２６５】
この冷媒回路(70)は、圧縮機(71)、再生熱交換器(72)、第１補助熱交換器(78)、第２補助熱交換器(79)、膨張弁(75)、四路切換弁(76)、及び方向制御回路(77)から構成されている。
【０２６６】
方向制御回路(77)は４つの逆止弁(CV1〜CV4)を組み合わせたブリッジ回路であり、４つの接続端(C1〜C4)を備えている。このブリッジ回路(77)では、第１接続端(C1)から第３接続端(C3)へ向かう冷媒の流れのみを許容する第１逆止弁(CV1)と、第２接続端(C2)から第３接続端(C3)へ向かう冷媒の流れのみを許容する第２逆止弁(CV2)と、第４接続端(C4)から第１接続端(C1)へ向かう冷媒の流れのみを許容する第３逆止弁(CV3)と、第４接続端(C4)から第２接続端(C2)へ向かう冷媒の流れのみを許容する第４逆止弁(CV4)とが設けられている。
【０２６７】
上記冷媒回路(70)において、圧縮機(71)の吐出側は四路切換弁(76)の第１ポート(P1)に接続され、四路切換弁(76)の第２ポート(P2)は第１補助熱交換器(78)を介してブリッジ回路(77)の第１接続端(C1)に接続されている。ブリッジ回路(77)の第３接続端(C3)は再生熱交換器(72)と膨張弁(75)とを介してブリッジ回路(77)の第４接続端(C4)に接続されている。ブリッジ回路(77)の第２接続端(C2)は第２補助熱交換器(79)を介して四路切換弁(76)の第３ポート(P3)に接続され、この四路切換弁(76)の第４ポート(P4)が圧縮機(71)の吸入側に接続されている。
【０２６８】
上記四路切換弁(76)は、第１ポート(P1)と第２ポート(P2)が連通するとともに第３ポート(P3)と第４ポート(P4)が連通する第１の状態と、第１ポート(P1)と第３ポート(P3)が連通するとともに第２ポート(P2)と第４ポート(P4)が連通する第２の状態とに切り換え可能に構成されている。
【０２６９】
この冷媒回路(70)において、四路切換弁(76)を第１の状態に切り換えると、圧縮機(71)から吐出された冷媒は、第１補助熱交換器(78)、第１逆止弁(CV1)、再生熱交換器(72)、膨張弁(75)、第４逆止弁(CV4)、及び第２補助熱交換器(79)を通って圧縮機(71)に吸入され、以上の循環を繰り返す。このとき、第１補助熱交換器(78)と再生熱交換器(72)が凝縮器になり、第２補助熱交換器(79)が蒸発器になる。
【０２７０】
一方、四路切換弁(76)を第２の状態に切り換えると、圧縮機(71)から吐出された冷媒は、第２補助熱交換器(79)、第２逆止弁(CV2)、再生熱交換器(72)、膨張弁(75)、第３逆止弁(CV3)、及び第１補助熱交換器(78)を通って圧縮機(71)に吸入され、以上の循環を繰り返す。このとき、第２補助熱交換器(79)と再生熱交換器(72)が凝縮器になり、第１補助熱交換器(78)が蒸発器になる。
【０２７１】
−調湿装置の運転動作−
〈除湿運転〉
次に、調湿装置(3)の運転動作を説明する。この調湿装置(3)は、第１吸着素子(81)の吸着と第２吸着素子(82)の再生とを行う第１動作（図２１参照）と、第２吸着素子(82)の吸着と第１吸着素子(81)の再生とを行う第２動作（図２２参照）とを交互に繰り返す。すなわち、調湿装置(3)は、いわゆるバッチ運転を行う。このように、調湿装置(3)は第１動作と第２動作とを交互に繰り返すことにより、室内の除湿を継続的に実行する。
【０２７２】
（第１動作）
まず、図２１を参照しながら、第１動作について説明する。以下に説明するように、第１動作では、第１吸着素子(81)における吸着動作と第２吸着素子(82)における再生動作とが同時に行われる。
【０２７３】
第１仕切板(120)では、右下開口(124)と左上開口(125)とが開放され、右側開口(121)と右上開口(123)と左下開口(126)と左側開口(122)とが閉鎖される。第２仕切板(130)においては、右下開口(134)と左下開口(136)とが閉鎖され、右上開口(133)と左上開口(135)とが開放される。なお、右側開口(131)及び左側開口(132)は開放されている。第３仕切板(140)においては、右下開口(144)が開放され、右上開口(143)と左上開口(145)と左下開口(146)とが閉鎖される。なお、右側開口(141)及び左側開口(142)は開放されている。第４仕切板(150)においては、右上開口(153)と右側開口(151)とが開放され、右下開口(154)と左上開口(155)と左下開口(156)と左側開口(152)とが閉鎖される。
【０２７４】
室外側吸込口(115)から吸い込まれた室外空気（以下、第１空気という）は、室外側下側空間(162)、第１仕切板(120)の右下開口(124)、右側中央空間(173)、第２仕切板(130)の右上開口(133)を順に通過し、右上流路(183)に導入される。
【０２７５】
右上流路(183)に導入された第１空気は、第１吸着素子(81)の調湿通路(85)及び第１補助熱交換器(78)を下向きに通過し、右下流路(184)に流れ込む。この際、第１空気は、図２４（Ａ）にも示すように、水分が第１吸着素子(81)によって吸着されることで減湿されるとともに、このときには蒸発器になっている第１補助熱交換器（冷却器）(78)によって冷却される。
【０２７６】
右下流路(184)に流入した第１空気は、第３仕切板(140)の右下開口(144)、右側中央空間(178)、第４仕切板(150)の右上開口(153)、室内側上側空間(166)を順に通過する。そして、この第１空気は、給気口(114)から室内に供給される。
【０２７７】
一方、室内側吸込口(113)から吸い込まれた室内空気（以下、第２空気という）は、室内側下側空間(167)、第４仕切板(150)の右側開口(151)、右端空間(179)、第３仕切板(140)の右側開口(141)を順に通過し、右側流路(181)に導入される。
【０２７８】
右側流路(181)に導入された第２空気は、第１吸着素子(81)の補助通路(86)へ流入する。この第２空気は、補助通路(86)を流れる際に、調湿通路(85)において水蒸気が吸着剤に吸着される際に生じた吸着熱を吸熱する。つまり、第２空気は、冷却用流体として補助通路(86)を流れ、第１吸着素子(81)を冷却する。補助通路(86)を通過した第２空気は、次に、再生熱交換器(72)を通過する。その際、再生熱交換器(72)では、第２空気が冷媒との熱交換によって加熱される。その後、第２空気は、中央流路(187)から第２吸着素子(82)の補助通路(86)へ流入し、第２吸着素子(82)を加熱する。
【０２７９】
第２吸着素子(82)の補助通路(86)を通過した第２空気は、左側流路(182)へ流出し、そこから左下シャッタ(194)の開口を通って左下流路(186)へ流入する。この第２空気は、第２補助熱交換器（補助加熱器）(79)を通過する際に冷媒回路(70)の冷媒と熱交換して加熱される。
【０２８０】
加熱された第２空気は、第２吸着素子(82)の調湿通路(85)へ導入され、調湿通路(85)を上向きに通過して左上流路(185)に流入する。この調湿通路(85)では、第２空気によって吸着剤が加熱され、吸着剤から水蒸気が脱離する。つまり、第２吸着素子(82)の再生が行われる。
【０２８１】
左上流路(185)に流入した第２空気は、第２仕切板(130)の左上開口(135)、左側中央空間(172)、第１仕切板(120)の左上開口(125)、室外側上側空間(161)を順に流れ、排気口(116)から室外に排出される。
【０２８２】
上述の第１動作を所定時間継続した後、以下の第２動作が行われる。そこで、図２２を参照しながら、第２動作について説明する。
【０２８３】
（第２動作）
第２動作では、第１動作とは逆に、第２吸着素子(82)の吸着動作と、第１吸着素子(81)の再生動作とが同時に行われる。
【０２８４】
図２２に示すように、第１仕切板(120)においては、右上開口(123)と左下開口(126)とが開放され、右側開口(121)と右下開口(124)と左上開口(125)と左側開口(122)とが閉鎖される。第２仕切板(130)においては、右下開口(134)と左下開口(136)とが閉鎖され、右上開口(133)と左上開口(135)とが開放される。なお、右側開口(131)及び左側開口(132)は開放されている。第３仕切板(140)においては、左下開口(146)が開放され、左上開口(145)と右上開口(143)と右下開口(144)とが閉鎖される。なお、右側開口(141)及び左側開口(142)は開放されている。第４仕切板(150)においては、左上開口(155)と左側開口(152)とが開放され、左下開口(156)と右上開口(153)と右下開口(154)と右側開口(151)とが閉鎖される。
【０２８５】
室外側吸込口(115)から吸い込まれた室外空気（以下、第１空気という）は、室外側下側空間(162)、第１仕切板(120)の左下開口(126)、左側中央空間(172)、第２仕切板(130)の左上開口(135)を順に通過し、左上流路(185)に導入される。
【０２８６】
左上流路(185)に導入された第１空気は、第２吸着素子(82)の調湿通路(85)及び第２補助熱交換器(79)を下向きに通過し、左下流路(186)に流れ込む。この際、第１空気は、図２４（Ｂ）にも示すように、水分が第２吸着素子(82)によって吸着されることで減湿されるとともに、このときには蒸発器になっている第２補助熱交換器（冷却器）(79)によって冷却される。
【０２８７】
左下流路(186)に流入した第１空気は、第３仕切板(140)の左下開口(146)、左側中央空間(177)、第４仕切板(150)の左上開口(155)、室内側上側空間(166)を順に通過する。そして、この第１空気は、給気口(114)から室内に供給される。
【０２８８】
一方、室内側吸込口(113)から吸い込まれた室内空気（以下、第２空気という）は、室内側下側空間(167)、第４仕切板(150)の左側開口(152)、左端空間(176)、第３仕切板(140)の左側開口(142)を順に通過し、左側流路(182)に導入される。
【０２８９】
左側流路(182)に導入された第２空気は、第２吸着素子(82)の補助通路(86)へ流入する。この第２空気は、補助通路(86)を流れる際に、調湿通路(85)において水蒸気が吸着剤に吸着される際に生じた吸着熱を吸熱する。つまり、第２空気は、冷却用流体として補助通路(86)を流れ、第２吸着素子(82)を冷却する。補助通路(86)を通過した第２空気は、次に、再生熱交換器(72)を通過する。その際、再生熱交換器(72)では、第２空気が冷媒との熱交換によって加熱される。その後、第２空気は、中央流路(187)から第１吸着素子(81)の補助通路(86)へ流入し、第１吸着素子(81)を加熱する。
【０２９０】
第１吸着素子(82)の補助通路(86)を通過した第２空気は、右側流路(181)へ流出し、そこから右下シャッタ(193)の開口を通って右下流路(184)へ流入する。この第２空気は、第１補助熱交換器（補助加熱器）(78)を通過する際に冷媒回路(70)の冷媒と熱交換して加熱される。
【０２９１】
加熱された第２空気は、第１吸着素子(81)の調湿通路(85)へ導入され、調湿通路(85)を上向きに通過して右上流路(183)に流入する。この調湿通路(85)では、第２空気によって吸着剤が加熱され、吸着剤から水蒸気が脱離する。つまり、第１吸着素子(82)の再生が行われる。
【０２９２】
右上流路(183)に流入した第２空気は、第２仕切板(130)の右上開口(133)、右側中央空間(173)、第１仕切板(120)の右上開口(123)、室外側上側空間(161)を順に流れ、排気口(116)から室外に排出される。
【０２９３】
〈加湿運転〉
この調湿装置(3)では、加湿運転時にも、第１動作と第２動作を交互に繰り返し、バッチ運転を行う。
【０２９４】
ここでは、各開口のシャッタの状態や空気の流れの詳細については省略するが、第１動作の時には、図２５に示すように、室外空気が第２空気として、第２吸着素子(82)の補助通路(86)、再生熱交換器(72)、第１吸着素子(81)の補助通路(86)、第１補助熱交換器(78)、そして第１吸着素子(81)の調湿通路(85)の順に流れ、加湿／加熱されて室内に供給される。また、室内空気は第１空気として、第２吸着素子(82)の調湿通路(85)を流れ、該第２吸着素子(82)に水分を与えて室外に排出される。
【０２９５】
また、第２動作の時には、図２６に示すように、室外空気が第２空気として、第１吸着素子(81)の補助通路(86)、再生熱交換器(72)、第２吸着素子(82)の補助通路(86)、第２補助熱交換器(79)、そして第２吸着素子(82)の調湿通路(85)の順に流れ、加湿／加熱されて室内に供給される。また、室内空気は第１空気として、第１吸着素子(81)の調湿通路(85)を流れ、該第１吸着素子(82)に水分を与えて室外に排出される。
【０２９６】
−実施形態３の効果−
この実施形態３においても、再生熱交換器(72)で加熱した空気を吸着素子(81,82)の補助通路(86)に通過させた後、さらに第１補助熱交換器(78)または第２補助熱交換器(79)で加熱して調湿通路(85)に流し、吸着素子(81,82)を再生するようにしている。このことにより、吸着素子(81,82)を高温に保つことができるため、従来よりも水分放出量（再生量）を多くすることが可能となる。したがって、次に第１空気の水分を吸着するときの吸着量も多くすることができるので、装置の性能が向上する。
【０２９７】
また、吸着中の吸着素子(81,82)の補助通路(86)に冷却用流体として再生前の第２空気を流すようにしているので、水分の吸着によって発生する吸着熱を該冷却用流体で吸熱できる。冷却用流体を流さない場合は吸着熱によって吸着素子(81,82)の温度が上昇して吸着性能が低下するが、冷却用流体を流すことで吸着性能の低下を防止できる。
【０２９８】
そして、この実施形態では、第１吸着素子(81)と第２吸着素子(82)を備えた調湿装置(3)においてバッチ式の運転動作を行うときに、一方の吸着素子(81,82)で冷却吸着動作を行いながら、他方の吸着素子(82,81)で加熱再生動作を行うようにしているため、吸着性能と再生性能の両方を高められることが可能となり、トータルの性能が向上する。
【０２９９】
−変形例−
上記実施形態では、冷媒回路(70)を図２７に示すように構成してもよい。
【０３００】
図示の冷媒回路(70)は、図２３の例と同様に、圧縮機(71)、再生熱交換器(72)、第１補助熱交換器(78)、第２補助熱交換器(79)、膨張弁(75)、四路切換弁(76)、及び方向制御回路（ブリッジ回路(77)）から構成されている。
【０３０１】
この冷媒回路(70)において、圧縮機(71)の吐出側は再生熱交換器(72)を介して四路切換弁(76)の第１ポート(P1)に接続されている。四路切換弁(76)の第２ポート(P2)は第１補助熱交換器(78)を介してブリッジ回路(77)の第１接続端(C1)に接続され、ブリッジ回路(77)の第３接続端(C3)は膨張弁(75)を介してブリッジ回路(77)の第４接続端(C4)に接続されている。また、ブリッジ回路(77)の第２接続端(C2)は第２補助熱交換器(79)を介して四路切換弁(76)の第３ポート(P3)に接続され、四路切換弁(76)の第４ポート(P4)が圧縮機(71)の吸入側に接続されている。
【０３０２】
この冷媒回路(70)において、四路切換弁(76)を第１の状態に切り換えると、圧縮機(71)から吐出された冷媒は、再生熱交換器(72)、第１補助熱交換器(78)、第１逆止弁(CV1)、膨張弁(75)、第４逆止弁(CV4)、及び第２補助熱交換器(79)を通って圧縮機(71)に吸入され、以上の循環を繰り返す。このとき、再生熱交換器(72)と第１補助熱交換器(78)が凝縮器になり、第２補助熱交換器(79)が蒸発器になる。
【０３０３】
一方、四路切換弁(76)を第２の状態に切り換えると、圧縮機(71)から吐出された冷媒は、再生熱交換器(72)、第２補助熱交換器(79)、第２逆止弁(CV2)、膨張弁(75)、第３逆止弁(CV3)、及び第１補助熱交換器(78)を通って圧縮機(71)に吸入され、以上の循環を繰り返す。このとき、再生熱交換器(72)と第２補助熱交換器(79)が凝縮器になり、第１補助熱交換器(78)が蒸発器になる。
【０３０４】
このように構成しても、再生熱交換器(72)を凝縮器にするとともに、第１補助熱交換器(78)と第２補助熱交換器(79)の一方を凝縮器（補助加熱器）に、他方を蒸発器（冷却器）にして冷凍サイクルを行うことができるため、上記の例と同様の運転が可能となる。
【０３０５】
《その他の実施形態》
本発明は、上記実施形態について、以下のような構成としてもよい。
【０３０６】
例えば、上記各実施形態では、吸着素子を再生する熱源として温水熱交換器や冷媒回路の凝縮器（再生熱交換器）を用いているが、電気ヒータなどを用いるようにしてもよく、要は加熱可能な機器を適宜選択して用いればよい。また、吸着素子を冷却する熱源としては、冷媒回路の蒸発器以外に冷水熱交換器などを用いるようにしてもよく、要は冷却可能な機器を適宜選択して用いればよい。
【０３０７】
また、上記各実施形態では２つの吸着素子を備えたバッチ式の調湿装置について説明したが、本発明は、ロータ式の吸着素子を用いた調湿装置において該吸着素子の一部で吸着しながら他の一部を再生するタイプの機械にも適用可能であるし、吸着素子が１つだけでバッチ式の運転動作を行わない調湿装置にも適用可能である。
【０３０８】
また、上記実施形態２，３では、バッチ式の運転動作を行う際に、第１空気の水分を吸着する吸着素子(81,82)の補助通路(86)に冷却用流体が流れる冷却吸着動作と、第２空気へ水分を放出する吸着素子(82,81)の補助通路(86)に加熱用流体が流れる加熱再生動作とを同時に行うように構成しているが、冷却吸着動作と加熱再生動作は、空気通路を切り換えることにより一方を選択的に行うようにしてもよい。この場合でも、吸着性能と再生性能のいずれかを高められるので、性能が向上する。
【０３０９】
さらに、上記各実施形態では、室外空気を第１空気（または第２空気）として調湿して室内へ供給するとともに室内空気を第２空気（または第１空気）として室外へ排出する調湿装置の構成（いわゆる換気扇の構成）について説明したが、本発明の調湿装置は、いわゆる給気扇、排気扇、あるいは循環扇にも適用することができる。なお、給気扇は、上記各実施形態で第１空気と第２空気の両方に室外空気を用いるものであり、この場合、室外空気は、第１空気（または第２空気）として調湿されて室内へ給気されるとともに、第２空気（または第１空気）にも用いられて再度室外へ排出される。また、排気扇は、上記各実施形態で第１空気と第２空気の両方に室内空気を用いるものであり、この場合、室内空気は、第１空気（または第２空気）として調湿されて再度室内へ供給されるとともに、第２空気（または第１空気）にも用いられて室外へ排気される。さらに、循環扇は、上記各実施形態で室外空気と室内空気を逆にして用いるものであり、この場合、室内空気が第１空気（または第２空気）として調湿されて再度室内へ供給されるとともに、室外空気が第２空気（または第１空気）として用いられて再度室外へ排出される。
【産業上の利用可能性】
【０３１０】
以上説明したように、本発明は、吸着素子による水分の吸着と再生を繰り返し行う調湿装置について有用である。
【図面の簡単な説明】
【０３１１】
【図１】本発明の実施形態１に係る調湿装置の概略構成図であり、(Ａ)は上面図、(Ｂ)は左側面図、(Ｃ)は右側面図、（Ｄ）は背面図である。
【図２】実施形態１に係る調湿装置の吸着素子を示す概略斜視図である。
【図３】実施形態１に係る調湿装置の運転動作を概念的に示す説明図であり、（Ａ）は第１動作の空気の流れを示し、（Ｂ）は第２動作の空気の流れを示している。
【図４】実施形態１の調湿装置の除湿運転時における第１動作の空気の流れを示す説明図である。
【図５】実施形態１の調湿装置の除湿運転時における第２動作の空気の流れを示す説明図である。
【図６】実施形態１の調湿装置の加湿運転時における第１動作の空気の流れを示す説明図である。
【図７】実施形態１の調湿装置の加湿運転時における第２動作の空気の流れを示す説明図である。
【図８】実施形態１の第１の変形例に係る調湿装置の運転動作を概念的に示す説明図であり、（Ａ）は第１動作の空気の流れを示し、（Ｂ）は第２動作の空気の流れを示している。
【図９】実施形態１の第２の変形例に係る調湿装置の概略構成図であり、(Ａ)は上面図、(Ｂ)は左側面図、(Ｃ)は右側面図、（Ｄ）は背面図である。
【図１０】実施形態１の第３の変形例に係る調湿装置の構成及び運転動作を概念的に示す説明図であり、（Ａ）は第１動作の空気の流れを示し、（Ｂ）は第２動作の空気の流れを示している。
【図１１】実施形態１の第４の変形例に係る調湿装置の構成及び運転動作を概念的に示す説明図であり、（Ａ）は第１動作の空気の流れを示し、（Ｂ）は第２動作の空気の流れを示している。
【図１２】実施形態２に係る調湿装置の概略構成図であり、(Ａ)は上面図、(Ｂ)は左側面図、(Ｃ)は右側面図、（Ｄ）は背面図である。
【図１３】実施形態２に係る調湿装置の運転動作を概念的に示す説明図であり、（Ａ）は第１動作の空気の流れを示し、（Ｂ）は第２動作の空気の流れを示している。
【図１４】実施形態２の調湿装置の除湿運転時における第１動作の空気の流れを示す説明図である。
【図１５】実施形態２の調湿装置の除湿運転時における第２動作の空気の流れを示す説明図である。
【図１６】実施形態２の調湿装置の加湿運転時における第１動作の空気の流れを示す説明図である。
【図１７】実施形態２の調湿装置の加湿運転時における第２動作の空気の流れを示す説明図である。
【図１８】実施形態２の第１の変形例に係る調湿装置の運転動作を概念的に示す説明図であり、（Ａ）は第１動作の空気の流れを示し、（Ｂ）は第２動作の空気の流れを示している。
【図１９】実施形態２の第２の変形例に係る調湿装置の概略構成図であり、(Ａ)は上面図、(Ｂ)は左側面図、(Ｃ)は右側面図、（Ｄ）は背面図である。
【図２０】実施形態３に係る調湿装置の斜視図である。
【図２１】実施形態３に係る調湿装置の除湿運転時における第１動作の空気の流れを示す分解斜視図である。
【図２２】実施形態３に係る調湿装置の除湿運転時における第２動作の空気の流れを示す分解斜視図である。
【図２３】実施形態３に係る調湿装置の冷媒回路を示す回路図である。
【図２４】実施形態３に係る調湿装置の運転動作を概念的に示す説明図であり、（Ａ）は第１動作の空気の流れを示し、（Ｂ）は第２動作の空気の流れを示している。
【図２５】実施形態３に係る調湿装置の加湿運転時における第１動作の空気の流れを示す分解斜視図である。
【図２６】実施形態３に係る調湿装置の加湿運転時における第２動作の空気の流れを示す分解斜視図である。
【図２７】冷媒回路の変形例を示す回路図である。
【図２８】夏期の除湿運転時の空気の状態変化を示す空気線図である。
【図２９】冬期の加湿運転時の空気の状態変化を示す空気線図である。
【符号の説明】
【０３１２】
(1)  調湿装置
(10)  ケーシング
(70)  冷媒回路
(72)  再生熱交換器（再生用加熱器）
(78)  第１補助熱交換器（補助加熱器、冷却器）
(79)  第２補助熱交換器（補助加熱器、冷却器）
(81)  第１吸着素子
(82)  第２吸着素子
(85)  調湿通路
(86)  補助通路
【図１】
0003646722.tif 000002
【図２】
0003646722.tif 000003
【図３】
0003646722.tif 000004
【図４】
0003646722.tif 000005
【図５】
0003646722.tif 000006
【図６】
0003646722.tif 000007
【図７】
0003646722.tif 000008
【図８】
0003646722.tif 000009
【図９】
0003646722.tif 000010
【図１０】
0003646722.tif 000011
【図１１】
0003646722.tif 000012
【図１２】
0003646722.tif 000013
【図１３】
0003646722.tif 000014
【図１４】
0003646722.tif 000015
【図１５】
0003646722.tif 000016
【図１６】
0003646722.tif 000017
【図１７】
0003646722.tif 000018
【図１８】
0003646722.tif 000019
【図１９】
0003646722.tif 000020
【図２０】
0003646722.tif 000021
【図２１】
0003646722.tif 000022
【図２２】
0003646722.tif 000023
【図２３】
0003646722.tif 000024
【図２４】
0003646722.tif 000025
【図２５】
0003646722.tif 000026
【図２６】
0003646722.tif 000027
【図２７】
0003646722.tif 000028
【図２８】
0003646722.tif 000029
【図２９】
0003646722.tif 000030